(57)【特許請求の範囲】
【請求項１】
携帯可能な電子機器であって、
非接触式ＩＣカードと誘導電磁波による交信を行うアンテナコイルと、
このアンテナコイルに接続されたリーダー部と、
前記非接触式ＩＣカードから送信されて、前記アンテナコイルを介して前記リーダー部により受信された前記非接触式ＩＣカードの利用履歴を表示させるように制御する表示出力部と、
前記アンテナコイル、前記リーダー部及び前記表示出力部が設けられた本体と、
この本体に設けられたリストバンドと、
を備えていることを特徴とする電子機器。
【請求項２】
前記非接触式ＩＣカードの利用履歴には、電子通貨における入金情報、出金情報、残高情報のうちの少なくとも一つの情報が含まれていることを特徴とする請求項１記載の電子機器。
【請求項３】
前記非接触式ＩＣカードの利用履歴には、乗車駅情報及び下車駅情報のうちの少なくとも一つの情報が含まれていることを特徴とする請求項１記載の電子機器。
【発明の詳細な説明】
【技術分野】
【０００１】
本発明は、腕時計等の各種の電子機器に適用して有用な電子機器に関する。
【背景技術】
【０００２】
従来、直接的にリーダー／ライターを通さずに電磁誘導波により非接触で情報担体からデータを読み取り又は書き込みできるシステムとしてデータキャリアシステム（若しくは、Ｒａｄｉｏ  Ｆｒｅｑｕｅｎｃｙ  ＩＤｅｎｔｉｆｉｃａｔｉｏｎ  システム＝ＲＦ−ＩＤシステム（ＩＳＯ／ＩＥＣ  １４４４３）、以下ＲＦ−ＩＤシステムと称す。）が知られている。
【０００３】
今日、ＲＦ−ＩＤシステムはＩＣカードを認証媒体（データキャリア、ＩＤ  Ｔａｇとも言う。以下、ＩＤ−Ｔａｇと称する。）として、電子乗車券や電子定期、あるいはスキー場等で使用される電子リフト券等に用いられている。
【０００４】
例えば、電子リフト券においては、上記ＲＦ−ＩＤシステム対応のＩＤ  Ｔａｇをスキーヤー（認証対象者）が装着するブレスレットやネックレス、腕時計に組み込んでおくことによって、スキーヤーはそれをリフトの入り口に設けられたゲートのリーダ／ライタにかざすことによりこのゲートを通過できる。これにより、ストックで手がふさがっているスキーヤーにとって、リフトの利用勝手を向上させている。
【０００５】
また、ＲＦ−ＩＤシステムの交信方式は、用途に応じて各種の方式が用いられている。例えばＲＦ−ＩＤシステムにおいて電磁誘導方式の場合では、ＩＤ  Ｔａｇはループが形成されたアンテナコイルと、このアンテナコイルの誘導起電力を制御するデータキャリアＩＣとからなり、ゲートに設けられたリーダ／ライタとの間で当該アンテナコイル、若しくはマグネットコア入りアンテナコイルを対向させて、百〜数百ＫＨｚ（長波〜中波）の信号を誘導電磁界を利用した情報伝達媒体として交信するようになっている。
【０００６】
そして、上記交信方式によれば、ＩＤ  Ｔａｇは、数十センチの距離でコイルアンテナによってデータを受け取り、データキャリアＩＣ内の不揮発性メモリーのデータを読み書きするようになっている。
【０００７】
そしてこのような電磁誘導方式、あるいは電池を内蔵せずに情報伝送時に電力を同時に伝送することができる電磁結合方式に使用される長波〜中波帯域の信号は、非導電材料を透過しやすく、導電体の反射も受けにくく、加えて電磁波の指向性が低いので、交信時にＩＤ  Ｔａｇを通過させる方向が多少変化しても交信データが変化しにくい長所があるが、金属（導電体）等で構成された障害物がゲートとの間にあるとアンテナコイルからの磁界によって上記金属に起電力が発生して電流が誘起され、その電流により磁界が乱れて交信が妨げられる障害が生ずる。
【０００８】
このようなことから、電磁誘導方式、若しくは電磁結合方式のＲＦ−ＩＤシステムに利用されるＩＤ  Ｔａｇを、スキーヤー（認証対象者）が装着するブレスレットやネックレス、腕時計に組み込みし、電子リフト券として利用する場合、
（１）当該ＩＤ  Ｔａｇを樹脂製のリストバンドやアームバンドに取り付ける構造。（２）当該ＩＤ  Ｔａｇ内蔵の角型やコイン型筐体を腕時計型ホルダーに取り付ける構造。
（３）当該ＩＤ  Ｔａｇのループ状のアンテナコイルとデータキャリアＩＣとを、樹脂製の時計ケースと裏蓋とに収納した構造。
といった構造を採用することによって、上記の問題を克服し良好な通信環境が確保するようにしている。
【発明の開示】
【発明が解決しようとする課題】
【０００９】
しかしながら、上記構造（１）〜（３）を採用しても、アクセサリーとしての装飾的価値、ファッションとしての価値、及び宝飾貴金属的価値が重視される腕時計の場合は、ＩＤ  Ｔａｇを配置することによってそれらの価値を著しく低下させたり、メーカーは腕時計の設計に際し、デザイン等における顧客層の嗜好や用途に応じた柔軟な対応ができないという問題があった。このような不具合を解消する最も一般的な手法として、腕時計等の本体に非接触式電子パスを内蔵、若しくは一体化させて、外側からＩＤ  Ｔａｇを見え難くする方法がある。
【００１０】
しかし、単に内蔵、若しくは一体化させた場合、特にアウトドアやスポーツ用腕時計を例にとると、防水性（耐圧性）、耐衝撃性、堅牢性、及び耐環境性を高める目的で腕時計本体に配置されている裏蓋や窓枠等には多くの金属製部材（導電体）が用いられているため、ゲートに設置されたリーダ／ライタとの間におけるデータ交信に障害が発生しやすいという問題を生じる。
【００１１】
そして、上記障害を回避するためには、このような金属製部材を樹脂等の非導電部材に代替しなくてはならないため、メーカーは腕時計本体の防水性（耐圧性）、耐衝撃性、堅牢性、及び耐環境性の保証ができなくなるという問題があった。
【００１２】
さらに、今日のＲＦ−ＩＤシステムは、専ら電子定期システムやプリペイドカードシステムに多く適用されているが、データ保護、特にセキュリティ上の問題を含んでいるクレジットシステム、エレクトニックコマース等に関しては、接触型ＩＣカードシステムより開発が遅れている。
【００１３】
本発明は、かかる従来の課題に鑑みてなされたものであり、ユーザーにとって使い勝ってが良く、かつ、利用状況を迅速かつ容易に確認することができる電子機器を提供することを目的とする。
【課題を解決するための手段】
【００１４】
前記課題を解決するために請求項１記載の発明に係る電子機器にあっては、
携帯可能な電子機器であって、
非接触式ＩＣカードと誘導電磁波による交信を行うアンテナコイルと、
このアンテナコイルに接続されたリーダー部と、
前記非接触式ＩＣカードから送信されて、前記アンテナコイルを介して前記リーダー部により受信された前記非接触式ＩＣカードの利用履歴を表示させるように制御する表示出力部と、
前記アンテナコイル、前記リーダー部及び前記表示出力部が設けられた本体と、
この本体に設けられたリストバンドと、
を備えていることを特徴とする。
【００１６】
また、請求項２記載の発明に係る電子機器にあっては、請求項１記載の電子機器において、前記非接触式ＩＣカードの利用履歴には、電子通貨における入金情報、出金情報、残高情報のうちの少なくとも一つの情報が含まれることを特徴とする。
【００１７】
また、請求項３記載の発明に係る電子機器にあっては、請求項１記載の電子機器において、前記非接触式ＩＣカードの利用履歴には、乗車駅情報及び下車駅情報のうちの少なくとも一つの情報が含まれることを特徴とする。
【発明の効果】
【００２３】
本発明の請求項１に係る電子機器によれば、非接触式ＩＣカードと誘導電磁波による交信を行うアンテナコイルと、このアンテナコイルに接続されたリーダー部と、前記非接触式ＩＣカードから送信されて、前記アンテナコイルを介して前記リーダー部により受信された前記非接触式ＩＣカードの利用履歴を表示させるように制御する表示出力部とが本体に設けられているので、非接触式ＩＣカードから送信されて、アンテナコイルを介してリーダー部により受信された非接触式ＩＣカードの利用履歴を使用者の手元で表示させることができる。
【００２６】
したがって、ユーザーが非接触式ＩＣカードを衣服のポケット等に携帯し、かつ電子機器も携帯することにより、電子機器の表示状態を通じて、非接触式ＩＣカードの利用状況を迅速かつ容易に使用者の手元で確認することができる。
【発明を実施するための最良の形態】
【００３２】
以下、本発明の実施の形態を図に従って説明する。
図１〜図３６は、本発明の第１〜第１２の実施の形態を示すものであり、データキャリア側アンテナコイルを時計ケース本体に備えた場合の構造を示すものである。以下、各実施の形態について詳述する。
【００３３】
（第１の実施の形態）
図１〜図５は、本発明の第１の実施の形態にかかるデータ通信装置としての腕時計１００を示す図である。
【００３４】
この腕時計１００は、時計本体１０１と、この時計本体１０１の両端部に係止されたリストバンド１０２，１０２とで構成されている。時計本体１０１は上下方向に開口する樹脂製のケース１０３を有している。ケース１０３は、上面を例えばミネラル・ガラス等の硬質透明部材１０４によって閉鎖され、かつ下面を金属製の裏蓋部材１０５によって閉鎖されている。ケース１０３の内側には上面側に位置して補強用の金属部材１０６が内蔵されるとともに、その上面側の外側にはベゼル１０７が設けられている。なお、ケース１０３の周壁には複数の操作ボタン１１１等が取り付けられている。
【００３５】
また、ケース１０３の内部には時計モジュール１０８が収容されている。前記時計モジュール１０８は、ＬＣＤパネル１１２が実装された時計用ＬＳＩ基板、及び送受信信号の変調回路や符号化／復号化回路、ＩＤ等のデータを記憶するデータメモリ、送受信や認証用の制御回路を内蔵したＩＣチップが実装されたＩＣ基板等から構成されており、ケース１０３内でのガタツキを主として樹脂によって形成された上面開口状のプラカバー１０９（図４、図５参照）によって防止されている。
【００３６】
さらに、ケース１０３の内部には、時計モジュール１０８の下部に、前記ＩＣ基板に接続され電磁誘導により信号を送受信するデータキャリア側アンテナコイル１１０が収容されている。データキャリア側アンテナコイル１１０は、図４及び図５（図４の部分拡大図）に示すように、前記プラカバー１０９の底面側の内周面に設けられた環状の切り欠き部１１３に支持されており、これによりデータキャリア側アンテナコイル１１０は前記裏蓋部材１０５から離れた箇所に位置決めされている。
【００３７】
かかる構成からなる本実施の形態においては、裏蓋部材１０５が金属製（導電体）であり、かつケース１０３の内部に金属部材１０６が内蔵された構造であっても、図２に示したように、データの送受信時にはケース１０３の上面から下面側の側部を通る磁束経路が確保され、しかもデータキャリア側アンテナコイル１１０が裏蓋部材１０５から離れているため、裏蓋部材１０５が金属であってもそれが通信の妨げとなる割合が極めて少ない。よって、防水性（耐圧性）、耐衝撃性、堅牢性、及び耐環境性を維持したまま良好な交信を確保することが可能である。
【００３８】
（第２の実施の形態）
図６〜図８は、本発明の第２の実施の形態を示すものである。
【００３９】
以下、第１の実施の形態と異なる部分について説明する。
【００４０】
すなわち本実施の形態においては、図７及び図８（図７のＣ−Ｃ断面図）に示すように、ベゼル２０７の上面側の内側外周部には前記データキャリア側アンテナコイル１１０を固定する切り欠き部２７１，２７１が形成されており、データキャリア側アンテナコイル１１０は、この切り欠き部２７１，２７１を介しベゼル２０７内に位置固定されている。つまり、データキャリア側アンテナコイル１１０が前記硬質透明部材１０４（図１参照）の外側に配置された構造となっている。
【００４１】
かかる構成においても、データの送受信時にはケース１０３の上面から下面側の側部を通る磁束経路が確保され、しかもデータキャリア側アンテナコイル１１０が裏蓋部材１０５から離れているため、裏蓋部材１０５が金属であってもそれが通信の妨げとなる割合が極めて少ない。よって、第１の実施の形態と同様の効果が得られる。
【００４２】
（第３の実施の形態）
図９〜図１２は、本発明の第３の実施の形態を示すものである。
この腕時計３００は、時計本体３０１と、この時計本体３０１の両端部に係止されたリストバンド３０２，３０２とで構成されている。時計本体３０１は上下方向に開口する樹脂製のケース３０３を有している。ケース３０３は、上面を硬質透明部材３０４によって閉鎖され、かつ下面を金属製の裏蓋部材３０５によって閉鎖されている。ケース３０３の内側には上面側に位置して補強用の金属部材３０６が内蔵されるとともに、その上面側の外側にはベゼル３０７が設けられている。なお、ケース３０３の周壁には複数の操作ボタン３１１等が取り付けられている。
【００４３】
また、ケース３０３の内部には時計モジュール３０８が収容されている。前記時計モジュール３０８は、ＬＣＤパネル３１２が実装された時計用ＬＳＩ基板、及び送受信信号の変調回路や符号化／復号化回路、ＩＤ等のデータを記憶するデータメモリ、送受信や認証用の制御回路を内蔵したＩＣチップが実装されたＩＣ基板等から構成されている。
【００４４】
図１１及び図１２（図１１のＢ−Ｂ断面図）に示すように、ケース３０３の上面側の内側外周部には前記データキャリア側アンテナコイル１１０を固定する切り欠き部３３１，３３１が形成されており、データキャリア側アンテナコイル１１０は、切り欠き部３３１，３３１を介しケース３０３に位置固定されている。つまり、データキャリア側アンテナコイル１１０が硬質透明部材３０４（図１１参照）と前記時計モジュール３０８との間に配置された構造となっている。
【００４５】
かかる構成においても、データの送受信時にはケース３０１の上面から下面側の側部を通る磁束経路が確保され、しかもデータキャリア側アンテナコイル１１０が裏蓋部材３０５から離れているため、裏蓋部材３０５が金属であってもそれが通信の妨げとなる割合が極めて少ない。よって、第２の実施の形態と同様の効果が得られる。
【００４６】
なお、図１３は、データキャリア側アンテナコイル１１０の巻形状を例示したものであって、データキャリア側アンテナコイル１１０の巻形状は、円形（図１１Ａ）はもとより、ケースの形状に応じて楕円形（図１１Ｂ）、四角形（同１１Ｄ）、多角形（同１１Ｅ）、又はそれ以外の形状（図１１Ｃ）等、アンテナコイルの開口面積を変更しない程度であれば、適宜、変更することができる。
【００４７】
（第４の実施の形態）
図１４〜図１６は、本発明の第４の実施の形態にかかるデータ通信装置である腕時計４００を示す図である。
図１４から明らかなように、この腕時計４００は、アウトドアやスポーツ用の腕時計としての外観を備えたものであって、時計本体４０２と、この時計本体４０２の両端部に係止された樹脂製のリストバンド４０３，４０３とで構成されている。
【００４８】
時計本体４０２は、図１５及び図１６に示したように、リストバンド４０３，４０３が係止されたかん又部４４１，４４１を有する内部ケースである強化樹脂製のケース４０４に、ケース４０４の上部及び外周を覆う外部ケースである樹脂製のベゼルカバー４０５が外装された構造を有している。ケース４０４の内部上方には金属製の表示枠固定部材４０６がインサート成形されている。表示枠固定部材４０６の裏面側には樹脂製の表示枠部材４０７が配置されている一方、表示枠固定部材４０６の表面側には、ケース４０４の上方を閉鎖する硬質透明部材４０８が防水パッキン４０９を介して装着されている。なお、ベゼルカバー４０５に覆われたケース４０４の周壁には複数のキー（操作ボタン）４１０等が取り付けられている。
【００４９】
さらに、ケース４０４の内部には合成ゴム製のモジュールカバー部材４１２、モジュール固定部材４１３が重なっており、その内側に時計モジュール４１４、モジュールカバー部材４１５が順に収容されるとともに、外部ケース４０４の下方開口部が、防水パッキン４１６を介して裏蓋部材４１７によって密閉されている。
【００５０】
この裏蓋部材４１７は、全体が磁性材料で形成されているが、この磁性材料としては、鉄やフェライト等の磁性体である金属や合金、化合物、あるいは磁性体粉末等の混合物、セラミック材料等の焼結物が適当である。
【００５１】
なお、裏蓋部材４１７の外側表面には樹脂製のケースカバー４１８により被覆されている。
【００５２】
前記時計モジュール４１４は、モジュール用ハウジング部材４１９とモジュール用ハウジング部材４２０（図１５では省略）により位置決めされた時計用ＬＳＩ基板４２１、データキャリアモジュール４２２によって構成されており、時計用ＬＳＩ基板４２１にはＬＣＤパネル４２３が設けられている。
【００５３】
データキャリアモジュール４２２は、送受信信号の変調回路や符号化／復号化回路、ＩＤ等のデータを記憶するデータメモリ、送受信や認証用の制御回路を内蔵したデータキャリアＩＣ４２４を有するデータキャリアＩＣ用基板４２５と、このデータキャリアＩＣ用基板４２５に接続され電磁誘導により信号を送受信するためのデータキャリア側アンテナコイル４２６とによって構成されている。データキャリアＩＣ用基板４２５は時計用ＬＳＩ基板４２１と並んで組み付けられており、データキャリア側アンテナコイル４２６は時計用ＬＳＩ基板４２１の外周に、モジュール用ハウジング部材４２０の内壁面に嵌められるように組み付けられている。
【００５４】
そして、以上の構成からなる腕時計４００は、使用者（認証対象者）が、当該腕時計４００を従来技術で説明した電磁誘導方式や電磁結合方式のＲＦ−ＩＤシステムのリーダ／ライタにそれを近づけることにより、腕時計４００自体がＩＤ  Ｔａｇとして使用される。その際、腕時計４００においては前述したように裏蓋部材４１７が磁性材料によって形成されていることから、図１７に示すように、リーダ／ライタ７０等が有するリーダー／ライター側アンテナコイル３０との間で誘導電磁界が形成されるとき、その磁束が裏蓋部材４１７を透過して通り抜ける。つまり、時計本体４０２の上面の硬質透明部材４０８から、ケース４０４内のデータキャリア側アンテナコイル４２６、裏蓋部材４１７を通る磁束経路が形成される。しかも、かかる磁束経路は、前述したケース４０４が金属製である場合においても同様である。
【００５５】
かかることから、ケース４０４や表示枠固定部材４０６を金属製とすることができ、しかも厚みを薄くせざるを得ない裏蓋部材４１７を樹脂製とする場合に比べ、裏蓋部材４１７に高い強度を確保できる。よって、防水性（耐圧性）、耐衝撃性、堅牢性、及び耐環境性を維持したまま良好な交信を確保することが可能である。また、これに伴い、装飾性を高めるとともに、顧客層の嗜好や用途に応じて外観やデザインを多様にすることができる。
【００５６】
（第５の実施の形態）
図１８及び図１９は、本発明の第５の実施の形態を示す時計本体５０２の断面図である。
【００５７】
すなわち、本実施の形態においては、ケース４０４の下方開口部を閉鎖する裏蓋部材５１７が金属材料により形成されているとともに、この裏蓋部材５１７の一部には、電池交換用の穴を閉鎖する電池交換用開閉蓋５３５が装着されている。この電池交換用開閉蓋５３５は、裏蓋部材５１７の略中央部であって、データキャリア側アンテナコイル４２６の内周部に対応する部位に設けられている。また、この電池交換用開閉蓋５３５は、磁性材料により形成されているが、この磁性材料としては、鉄やフェライト等の磁性体である金属や合金、化合物、あるいは磁性体粉末等の混合物、セラミック材料等の焼結物が適当である。
【００５８】
なお、これ以外の構成は、前述した第１の実施の形態で説明したものと同様である。
【００５９】
そして、かかる構成においては、図１９に示すように、前記リーダ／ライタ７０等が有するリーダー／ライター側アンテナコイル３０との間で誘導電磁界が形成されるとき、その磁束が電池交換用開閉蓋５３５に対応する領域Ｒ内においてこれを透過して通り抜ける。つまり、時計本体５０２の上面の硬質透明部材４０８から、ケース４０４内のデータキャリア側アンテナコイル４２６、電池交換用開閉蓋５３５を通る磁束経路が形成される。しかも、かかる磁束経路は、前述したケース４０４が金属製である場合においても同様である。よって、第４の実施の形態で示したものと同様の効果が得られる。
【００６０】
なお、前記電池交換用開閉蓋５３５を磁束が透過可能な樹脂やセラミック等に代えることもできる。その場合においても、前記リーダ／ライタ７０等との間の通信時には前述した磁束経路が形成される。したがって、その場合においても同様の効果を得ることができる。
【００６１】
また、本実施の形態及び第４の実施の形態においては、ケース４０４が強化樹脂製であるものを示したが、前述したように前記時計本体４０２、５０２においては、その上面及び下面を貫通する方向に磁束の通路が確保されるため、ケース４０４を金属製とした場合であってもデータの送受信が可能である。したがって、ケース４０４を金属製とすることにより、耐衝撃性、堅牢性、を向上させることができる。
【００６２】
（第６の実施の形態）
図２０は、本発明の第６の実施の形態を示す時計本体６０２の断面図である。
【００６３】
すなわち、本実施の形態は、第４及び第５の実施の形態と同様に、樹脂製のケース４０４の内部上方には金属製の表示枠固定部材４０６がインサート成形されている。ケース４０４の内部には、合成ゴム製のモジュールカバー部材４１２等があり、その内側にデータキャリアモジュール４２２が一体化されている時計モジュール４１４、及びモジュールカバー部材４１５が順に収容されている。そしてケース４０４の下方開口部が、防水パッキン４１６を介して裏蓋部材４１７によって密閉されている。本実施の形態においては、この裏蓋部材５１７が金属材料により形成されており、また、時計モジュール４１４が前記モジュールカバー部材４１５等によって、裏蓋部材５１７から離れた箇所に位置決めされている。
【００６４】
かかる構成においては、裏蓋部材４１７が金属製であるものの、前述した金属製の表示枠固定部材４０６がケース４０４の上方側に位置しており、ケース４０４の下方側には金属部品が存在していないため、ケース４０４の下方側の周壁においては磁束の通過が可能となっている。このため、前述したようにリーダ／ライタ７０等が有するリーダー／ライター側アンテナコイル３０との間で誘導電磁界が形成されるとき、その磁束が時計本体６０２の上面からケース４０４の下方側を通る磁束通過ルート６００が形成される（図２２参照）。
【００６５】
したがって、裏蓋部材４１７が金属製とすることにより、防水性（耐圧性）、耐衝撃性、堅牢性、及び耐環境性を維持したまま良好な交信を確保することが可能である。しかも、データキャリア側アンテナコイル４２６が裏蓋部材４１７から離れた位置に設けられているため、裏蓋部材４１７が金属であってもそれが通信の妨げとなる割合が極めて少ない。よって、良好な交信を確保することが可能である。
【００６６】
（第７の実施の形態）
図２１は、本発明の第７の実施の形態を示す時計本体７０２の断面図である。
【００６７】
すなわち、本実施の形態においては、第６の実施の形態と同様に裏蓋部材４１７が金属材料で形成されている一方、データキャリア側アンテナコイル４２６の外周面がモジュールカバー部材４１２に、内周面ケース４０４の下方側に嵌められた構成を有している。
【００６８】
かかる構成においても、第５の実施の形態と同様にケース４０４の下方側の周壁においては磁束の通過が可能であり、図２２に示すように、リーダ／ライタ等が有するリーダー／ライター側アンテナコイル３０との間で誘導電磁界が形成されるときには、その磁束が時計本体７０２の上面からケース４０４の下方側を通る磁束経路が形成される。また、裏蓋部材４１７が金属であってもそれが通信の妨げとなる割合が極めて少ない。よって、良好な交信を確保することが可能である。
【００６９】
なお、本実施の形態及び第６の実施の形態においては、ケース４０４が樹脂製であって、その下方側に磁束の通路が確保されたものを示したが、これ以外にも、例えばケース４０４の全部、又は上下方向の一部を磁性材料によって形成するようにしてもよい。その場合であっても、データの送受信時には、時計本体６０２、７０２の上面の硬質透明部材４０８から、ケース４０４内のデータキャリア側アンテナコイル４２６、ケース４０４の周壁を通る磁束経路を形成させることができ、前述したものと同様の効果が得られる。
【００７０】
（第８の実施の形態）
図２３及び図２４は、本発明の第８の実施の形態を示す時計本体８０２の断面図である。
【００７１】
すなわち、本実施の形態においては、第６及び第７の実施の形態と同様に裏蓋部材４１７が金属材料で形成されているものの、データキャリアモジュール８２２が時計モジュール８１４とは独立して構成されている。具体的には、データキャリアモジュール８２２が時計モジュール８１４の下部に、裏蓋部材４１７から数ミリ程度離れて位置固定されている。
【００７２】
このデータキャリアモジュール８２２は、前述したデータキャリアＩＣ８２４を有するデータキャリアＩＣ用基板８２５と、データキャリア側アンテナコイル４２６と、磁性材料により形成され中央部分に凹部８３７が設けられている板状のマグネティック・コア８３６とから構成されている。データキャリア側アンテナコイル４２６を構成する線状導電部材は、マグネティック・コア８３６の外周に、時計本体８０２の表面及び裏面を貫通する上下方向を巻軸として数回〜数十回巻かれており、マグネティック・コア８３６の上部にデータキャリアＩＣ用基板８２５が配置されている。なお、これ以外の点については前述した他の実施の形態と同様である。
【００７３】
かかる構成においても、図２５に示すように、リーダ／ライタ７０等が有するリーダー／ライター側アンテナコイル３０との間で誘導電磁界が形成されるときには、磁束が時計本体２の上面からケース４０４の下方側を通る磁束経路が形成される。したがって、第６及び第７の実施の形態で示したものと同様の効果が得られる。しかも、本実施の形態においては、マグネティック・コア８３６によって磁束が収束させるため、裏蓋部材４１７が金属製であっても、その影響を受ける度合が少なく良好な磁束経路が確保できる。よって、第６及び第７の実施の形態で示したものと比較しても交信状態を向上させることができる。
【００７４】
なお、図２６は、前述の図１８に示した第５の実施の形態の変形例を示すものであり、２個のデータキャリア側アンテナコイルを設けたものである。すなわち、前述のようにデータキャリアモジュール４２２は、送受信信号の変調回路や符号化／復号化回路、ＩＤ等のデータを記憶するデータメモリ、送受信や認証用の制御回路を内蔵したデータキャリアＩＣ４２４を有するデータキャリアＩＣ用基板４２５と、このデータキャリアＩＣ用基板４２５に接続され電磁誘導により信号を送受信するための第１データキャリア側アンテナコイル８２６とによって構成されている。データキャリアＩＣ用基板４２５の下部には、第２第１データキャリア側アンテナコイル８２７が配置されており、第２第１データキャリア側アンテナコイル８２７は導電線８２８により、前記データキャリアＩＣ４２４に接続されている。
【００７５】
前記第１データキャリア側アンテナコイル８２６と第２第１データキャリア側アンテナコイル８２７とは、各々異なる搬送周波数にてリーダー／ライター側アンテナコイルとの間で交信可能なものである。例えば、第１データキャリア側アンテナコイル８２６は１２５ＫＨｚ、第２データキャリア側アンテナコイル８２７は１３．５６ＭＨｚの搬送周波数にて、リーダー／ライター側アンテナコイルとの間で送受信可能である。したがって、本例によれば搬送周波数が異なる２種類のＲＦ−ＩＤシステムに対して、同一の腕時計（ＩＤ  Ｔａｇ）を使用することができる。無論、より多数のデータキャリア側アンテナコイルを内蔵することにより、より多種類のシステムに対して、同一の腕時計を使用することが可能となる。
【００７６】
（第９の実施の形態）
次に、前述した第４〜８の実施の形態において、電磁誘導により信号を送受信するために使用可能なアンテナコイルについて説明する。
図２７〜図３１はアンテナコイルの開口部分に何も実装していない場合の類型を、断面図及び斜視図により例示したものである。
【００７７】
以下、順に説明すると、図２７はデータキャリア側アンテナコイル４２２のみからなるものであって（図２７Ａ）、薄巻タイプのもの（図２７Ｂ）と厚巻タイプのもの（図２７Ｃ）等がある。
図２８はデータキャリア側アンテナコイル４２２を構成する線状導電材料が筒状のボビン９０１に数回〜数十回巻かれているものであって（図２８Ａ）、背の低いタイプのもの（図２８Ｂ）や背の高いタイプのもの（図２８Ｃ））等がある。
【００７８】
図２９はデータキャリア側アンテナコイル４２２を構成する線状導電材料が筒状のボビン９０１に数回〜数十回巻かれるとともに、ボビン９０１の内側に、磁性材料からなる筒状のマグネティック・コア９０２を嵌めたものであって（図２９Ａ）には、マグネティック・コア９０２が薄肉状のタイプのもの（図２９Ｂ）や厚肉状のタイプのもの（図２９Ｃ）等がある。
図３０Ａおよび図３０Ｂは、筒状のマグネティック・コア９０２に直接データキャリア側アンテナコイル４２２を構成する線状導電部材が数回〜数十回巻かれたものである。
【００７９】
なお、以上のうち主として内部が大きく開口したものが前述した第４〜第７の実施の形態に用いられる。
【００８０】
また、図３１は、マグネティック・コアがアンテナコイルの開口部分を充填する形状の類型を、断面図及び斜視図により例示したものである。図３１Ａはデータキャリア側アンテナコイル４２２を構成する線状導電部材が筒状のボビン９０１に数回〜数十回巻かれたもの（すなわち図２８に示したもの）に、磁性材料からなる板状のマグネティック・コア９０３が嵌められたものである。この種のアンテナとしては、マグネティック・コア９０３がボビン９０１の底部のみに嵌められるタイプのもの（図３１Ｂ）、マグネティック・コア９０３によりボビン９０１の内部が埋められたタイプのもの（図３１Ｄ、図３１Ｃ）、マグネティック・コア９０３によりボビン９０１の内部が充填されるとともに、必要に応じてマグネティック・コア９０３に凹部９０４や穴９０５が設けられたタイプのもの（図３１Ｅ）等がある。これらは主として第８の実施の形態に用いられる。
【００８１】
（第１０の実施の形態）
図３２〜図３４は、本発明の第１０の実施の形態を示す時計本体１００２を示すものである。
【００８２】
すなわち、本実施の形態においては、第８の実施の形態と同様に、裏蓋部材４１７が金属材料で形成されており、データキャリアモジュール１０２２が時計モジュール８１４とは独立して構成され、時計モジュール８１４の下部に、裏蓋部材４１７から数ミリ程度離れて位置固定されている。また、このデータキャリアモジュール１０２２は、前述したデータキャリアＩＣ８２４を有するデータキャリアＩＣ用基板８２５と、データキャリア側アンテナコイル４２６と、磁性材料からなる板状のマグネティック・コア８３６とから構成されている。
【００８３】
本実施の形態においては、第８の実施の形態と異なり、データキャリア側アンテナコイル４２６を構成する線状導電部材は、円板状のマグネティック・コア４３６の外周に、時計本体１００２の表面及び裏面を貫通する上下方向と直交する水平方向を巻軸として数回〜数十回巻かれており、この円板状のマグネティック・コア４３６の上部にデータキャリアＩＣ用基板８２５が配置されている。
【００８４】
なお、これ以外の点については前述した第８の実施の形態と同様である。
【００８５】
かかる構成においては、データキャリア側アンテナコイル４２６を構成する線状導電部材が、時計本体１００２の水平方向に配置される円板状のマグネティック・コア４３６の外周に水平方向を巻軸として数回〜数十回巻かれれていることから、リーダ／ライタ７０等が有するリーダー／ライター側アンテナコイル３０との間で誘導電磁界が形成されるときには、磁束の一部は時計本体１００２の上面からケース４０４の下方側を通るが、その多くは、図３４に示すように、ケース４０４の一方の下方側から、データキャリア側アンテナコイル４２６の内部、すなわち、データキャリア側アンテナコイル４２６が巻かれた円板状のマグネティック・コア８３６を通って、ケース４０４の他方の下方側から抜けることとなる。よって、誘導電磁界の磁束を時計本体１００２の水平方向に通すことができるので、前述した第８の実施の形態で示したものと同様の効果が得られる。
【００８６】
（第１１の実施の形態）
図３５は、前記第１０の実施の形態において、電磁誘導により信号を送受信するために使用可能なアンテナを例示したものである。
【００８７】
すなわち、データキャリア側アンテナコイル４２６を構成する線状導電部材が数回〜数十回巻かれるマグネティック・コア８３６の形状は、円筒状（図３５Ａ）や、円柱状（図３５Ｂ）、角柱状（図３５Ｃ）、四角板状（図３５Ｅ）、楕円板状（図３５Ｆ）、蝶リボン状（図３５Ｇ）、板の一部に穴を空けた形状（図３５Ｈ）、リング状（図３５Ｉ）であっても良い。また、場合によっては、磁束の収束度が弱いものの、データキャリア側アンテナコイル４２６のみによるアンテナ（図３５Ｄ）としても構わない。
【００８８】
（第１２の実施の形態）
図３６は、本発明の第１２の実施の形態を示すものである。
【００８９】
本実施の形態は、前述した樹脂製のケース４０４にインサートされる表示枠固定部材４０６の変形例を示すものである。なお、各々の平面形状は円形（又は略円形）として示したが実際には、必要とされる平面形状に成形される。
【００９０】
以下、順に説明すると、図３６Ａの表示枠固定部材４０６においては、全周に亙って半径方向に凹凸４０６１（図３６Ｇ参照）を有する形状に成形されており、かつその形状は予めデータの送受信に使用される周波数帯域でのインダクタンス成分が、基本形状である円筒形状に比べ増大する形状となるようにチューニングされている。
【００９１】
また、図３６Ｂの表示枠固定部材４０６においては、その上縁全周及び下縁全周に等間隔で複数の凹部４０６２が設けられた形状を有しており、図３６Ｃの表示枠固定部材４０６においては、その上縁全周に所定間隔で複数の凸部４０６３（図３６Ｈ参照）が設けられた形状を有している。
【００９２】
すなわち、図２３Ｂ及び図２３Ｃに示したものにおいては、環を切断する方向の断面形状が多様である形状に成形されており、かつそれらの形状は予めデータの送受信に使用される周波数帯域でのインダクタンス成分が、基本形状である円筒形状に比べ増大する形状となるようにチューニングされている。
【００９３】
つまり、前述した形状を有する表示枠固定部材４０６においては、そのインピーダンスが基本形状である円筒形状に比べ大きいことから、その形状を単に基本形状に成形した場合に比べると、データの送受信時に発生する渦電流が小さくなる。よって、前述した時計本体における表示枠固定部材４０６を図３６Ａ〜図３６Ｃに示したものとすれば、それが金属製であっても、渦電流に起因する送受信障害を低減させることができ、表示枠固定部材を金属製とすることにより時計本体２の耐衝撃性や堅牢性といった基本性能を維持したままで、通信性能を向上させることができる。
【００９４】
一方、図３６Ｄに示した表示枠固定部材４０６は、略Ω型の部材の両端が非導電部材４７を挟んでネジ止めにより結合されたものである。かかる表示枠固定部材４０６においては、結合部分における電気抵抗が他の一般部よりも大きいことから、データの送受信時に発生する渦電流が小さくなる。しかも、環状であることによって機械的強度が確保できる。よって、前述したものと同様の効果が得られる。なお、表示枠固定部材４０６においては、結合部分に前記別部材４７を挟んでネジ止めしたものを示したが、これ以外にも接触抵抗が大きくなるような他の結合手段によって両端を結合させることにより同様の効果が得られる。
【００９５】
また、図３６Ｅに示した表示枠固定部材４０６は、その内周面が磁性材料の粒子や粉末を含む塗料の被覆層４８が設けられたものであり、かかる表示枠固定部材４０６においてもデータの送受信時に発生する渦電流を減少させることができ、前述したものと同様の効果が得られる。
【００９６】
なお、図３６Ｆに示した表示枠固定部材４０６は、表面全域に前記被覆層４８が設けられたものであり、図３６Ｅに示したものと同様の効果が得られる。
【００９７】
さらに、図３６に示したもの以外にも、前記表示枠固定部材４０６を、それと同等の強度を有する強化樹脂やセラミック等の非導電性材料や、低導電率の他の金属によって形成されたものに代えれば、電気抵抗が大きくなるため、誘導電磁界を受けて発生する渦電流を無くしたり、小さくしたりでき、渦電流に起因する送受信障害を低減させる（無くす）ことができる。
【００９８】
なお、本実施の形態においては、前述した時計本体の表示枠固定部材４０６の構造について説明したが、それ以外にも、例えばケース４０４が金属製である場合にはケース４０４に、また、その他にも前述したデータキャリア側アンテナコイル４２６の磁束が貫通する中空部を形成する他の金属製の環状部材が存在する場合には、それらについても前述した形状等を採用することによって、同様の効果を得ることができる。
【００９９】
図３７〜図６１は、本発明の第１３〜第２３の実施の形態を示すものであり、データキャリア側アンテナコイルを時計バンドあるいは時計ケース本体に備えた場合の回路構成、及びシステム構を示すものである。以下、各実施の形態について詳述する。
【０１００】
（第１３の実施の形態）
図３７は、第１３の実施の形態のシステム構成を示すものである。図に示すように、本システムを構成する腕時計１３０１は、メタル製の時計本体１３０２と、この時計本体１３０２の両端部に係止された樹脂製のリストバンド１３０３、１３０４とで構成されており、一方のリストバンド１３０４には、データキャリアモジュール１３０５が配設されている。データキャリアモジュール１３０５は、データキャリアＩＣ１３０６と、このデータキャリアＩＣ１３０６に接続されたデータキャリア側アンテナコイル１３０７とで構成されている。
【０１０１】
一方、このデータキャリア側アンテナコイル１３０７に対応するリーダー／ライター側アンテナコイル１３０８は、一端を接地されているとともに、他端をリーダー／ライター１３１０に接続されている。このリーダー／ライター１３１０は、制御装置／システム１３１１を介してゲート開閉装置１３１２に接続されている。
【０１０２】
図３８Ａ及び図３８Ｂは、前記腕時計１３０１の具体的な構成を示すものである。すなわち、時計本体１３０２には表面中央部に表示部１３１４が設けられているとともに、周部に複数のキー１３９０が設けられている。また、周部の相対向する部位には、かん又部１３９１，１３９１が設けられており、このかん又部１３９１，１３９１に前記各リストバンド１３０３、１３０４が、その先端部に設けられた先かん部１３９２、１３９２に挿通されたバネ棒１３１３により係止されている。前記一方のバンド１３０４の先かん部１３９２の近傍には、表面側に開口する凹部１３１５が設けられている。この凹部１３１５内に、前記データキャリアモジュール１３０５が面一状に嵌合配置されており、データキャリアモジュール１３０５は前記データキャリアＩＣ１３０６とデータキャリア側アンテナコイル１３０７とを収容したケース１３１６を備えている。
【０１０３】
図３９は、前記データキャリアモジュール１３０５とリーダー／ライター１３１０の構成を示すブロック図である。図示のようにデータキャリアモジュール１３０５は、データキャリア側アンテナコイル１３０７の両端部に接続されたコンデンサ１３１８を有するともに、ＡＣ／ＤＣコンバータ１３１９、クロック再生部１３２０、復調部１３２１、及び復号部１３２２を有している。ＡＣ／ＤＣコンバータ１３０９で整流された電流は、電源制御部１３２４を介してデータキャリア制御部１３２３に与えられ、さらに、データキャリア制御部１３２３には、クロック再生部１３２０で再生されたクロック、及び復号部１３２２で復号されたデータが入力される。データキャリア制御部１３２３は、これら各部から入力されるデータ等に基づき、メモリー１３２５に記憶されているデータを符号化部１３２６に供給し、この符号化部１３２６で符号化されたデータは変調部１３２７で変調されて、データキャリア側アンテナコイル１３０７に送出されるように構成されている。
【０１０４】
一方、リーダー／ライター１３１０は、リーダー／ライター側アンテナコイル１３０８の一端にコンバータ１３３３を介して接続されたアンテナ駆動回路１３３４と復調部１３３０とを有している。この復調部１３３０で復調された信号は、フィルター＆増幅部１３３１にてフィルタリングされるとともに増幅され、復号部１３３２でデータに復号されて前記制御装置／システム１３１１に供給される。また、この制御装置／システム１３１１からの制御信号は、符号化部１３３７で符号化され、復調部１３３６で復調されてアンテナ駆動回路１３３４に供給される。アンテナ駆動回路１３３４は、発振部１３３５から出力される所定周波数のクロックと、変調部１３３６で変調された信号とに基づき、リーダー／ライター側アンテナコイル１３０８を駆動するように構成されている。
【０１０５】
前記データキャリアＩＣ１３０６のメモリー１３２５は、図４０に示すように、ＥＥＰＲＯＭ（不揮発性読み／書き両用メモリー）１３５１とＰＲＯＭ（読み出し専用メモリー）１３５２とで構成されている。ＥＥＰＲＯＭ３５１には、アドレス（記憶区画）Ｗｏｒｄ“０”から順次、パスワード（書き込み専用／外部読出し保護）、読出し保護／書き込み禁止の設定レジスタなど、制御用のレジスタなどが記憶されているとともに、Ｗｏｒｄ“Ｓ”にはシステム／電子パス・認証用アプリケーション使用エリアが設けられ、Ｗｏｒｄ“Ｕ”にはユーザー／ユーザー・アプリケーション使用エリアが設けられている。また、ＰＲＯＭ１３５２には、アドレスＷｏｒｄ“Ｚ”から順次、当該腕時計１３０１固有のデバイス・シリアル番号、デバイスＩＤ（識別番号）などが記憶されている。
【０１０６】
以上の構成にかかる本実施の形態において、データキャリアＩＣ１３０６のメモリー１３２５から図４１に示す送信データ４１Ａをリーダー／ライター１３１０に供給すると、これが符号化部１３２６、変調部１３２７で処理されて、データキャリア側アンテナコイル１３０７からは送信信号４１Ｂが放射される。この状態で、腕時計１３０１を腕に装着したユーザーがリーダー／ライター側アンテナコイル１３０８が配置されているゲート開閉装置１３１２に近づくと、データキャリア側アンテナコイル７は誘導電磁波により受信信号４１Ｃを受信する。すると、データキャリアＩＣ１３０６のクロック再生部１３２０は、再生クロック４１Ｄを生成してデータキャリア制御部１３２３に送出し、符号部１３２２は復調部１３２１からの信号に基づき、受信データ４１Ｄを生成してデータキャリア制御部１３２３に送出する。
【０１０７】
ここで、前記受信信号４１Ｃ（リーダー／ライター  →  データキャリア）は、図４２Ａに示すように、プリアンプル／同期信号データブロックＲＳ１、制御命令データブロックＲＣ、アドレス＆データブロックＲＤ、パリティデータブロックＲＰ、ポストアンプル／同期データブロックＲＳ２などで構成されている。また、前記制御命令データブロックＲＣ及びアドレス＆データブロックＲＤは、リード命令データＲＣ１とアドレスデータＲＤ１、及び書込みデータＲＣ２とアドレスデータＲＤ１と書込みデータＲＤ２で構成されている。
【０１０８】
また、前記送信信号４１Ｂは、図４２Ｂに示すように、プリアンプル／同期データブロックＴＳ１、制御命令データブロックＡＣ、読出しデータブロックＴＲ、パリティデータブロックＴＰ、ポストアンプル／同期データブロックＴＳ２で構成されている。
【０１０９】
そして、リーダー／ライター１３１０側からキャリアを送信すると、これを受信したデータキャリアＩＣ１３０６側からパワーＯＮセット信号と初期出力（ＩＤなど）を送信した後、受信待ちの状態となる。すると、リーダー／ライター１３１０側においては、受信待ち許容時間Ｔが経過する前に、受信モード要求と命令を送信し、データキャリアＩＣ１３０６側では、受信処理をした後、応答を送信し、受信待ち状態となる。したがって、この応答がリーダー／ライター１３１０側で受信されて、制御装置／システム１３１１がゲート開閉装置１３１２を制御することにより、ゲート開閉装置１３１２が開動作する。したがって、この腕時計１３０１をゲート開閉装置１３１２の通過を予め許可されている者が腕に装着しておくことにより、チェックインが可能となる。
【０１１０】
この腕時計１３０１にあっては、キャリア側アンテナコイル１３０７を有するデータキャリアモジュール１３０５がリストバンド１３０４に設けられているので、時計本体１３０２を金属製などの導電性材料としても、リーダー／ライター１３１０との交信に支障がなく、時計本体１３０２の装飾性やデザインの多様性を図ることができる。また、任意の時計本体１３０２に、本実施の形態のデータキャリアモジュール１３０５が装填されたリストバンド１３０４を係着すれば、腕時計１に随時電子パス機能を付加することができる。また、他のデータキャリアモジュール１３０５が装填されたリストバンド１３０４と交換すれば、腕時計１３０１におけるＩＤ  Ｔａｇの機能変更も可能となる。
【０１１１】
（第１４の実施の形態）
図４３Ａ、４３Ｂ、４３Ｃは、本発明の第１４の実施の形態を示すものである。すなわち、４３Ａに示す腕時計１３０１の時計本体１３０２及び一方のリストバンド１３０３は前述した図３８に示した実施の形態と同様の構成であるが、時計本体１３０２の他方のかん又部１３９１には、介装部材１３４０が係止されている。この介装部材１３４０は、樹脂製であって、図４３Ｃに示すように、内部には前記データキャリアＩＣ１３０６とデータキャリア側アンテナコイル１３０７とで構成されるデータキャリアモジュール１３０５が内蔵されている。また、この介装部材１３４０の一端部には先かん部１３４１が形成され、他端部にはかん又部１３４２が形成されている。そして、この介装部材１３４０は、先かん部１３４１に挿通されたバネ棒１３１３にて時計本体１３０２のかん又部１３９１に係止されているとともに、かん又部１３４２に樹脂製のリストバンド１３０４がバネ棒１３１３により係止されている。
【０１１２】
また、図４３Ｂに示す腕時計１４０１の時計本体１４０２は形状が矩形ではあるが機能的には、前述した実施の形態と同様であり、一方のリストバンド１４０１は金属製である。また、介装部材１３４０は図４３Ａのものと同一であり、他端部のかん又部１３４２には金属製のリストバンド１４０４がバネ棒１３１３により係止されている。
【０１１３】
すなわち、この実施の形態においては、データキャリアモジュール１３０５が樹脂製の介装部材１３４０に内蔵されていることから、図４３Ｂに示すようにリストバンド１３０３、１３０４を金属製としても、前記リーダー／ライター１３１０との交信に支障がなく、時計本体１４０２ばかりでなくリストバンド１３０３、１３０４の装飾性やデザインの多様性を図ることができる。また、図４３Ａに示すように、好みに応じて樹脂製のリストバンド１３０３、１３０４を装着することもできるし、既存の腕時計１３０１、１４０１に介装部材１３４０を介在させてリーダー／ライター１３１０との交信機能を付加させることができるばかりでなく、不要となった場合には介装部材１３４０を除去して、リストバンド１３０４、１４０４を直接時計本体１３０２、１４０２に係着させることにより、通常の腕時計に復帰させることも可能となる。
【０１１４】
（第１５の実施の形態）
図４４Ａ、４４Ｂは、本発明の第１５の実施の形態を示すものである。図４４Ａに示す腕時計１５０１は、前述した図４３Ｂに示したものと同一構造であるが、リストバンド１４０３の先かん部１４０５と、リストバンド１４０４の先かん部１４０６とはともにバネ棒１３１３により、時計本体２の各かん又部１３９１に係止されている。一方のリストバンド１４０４には、モジュールユニット１５５０がリストバンド１４０４の長手方向に移動自在であり、かつ、着脱自在に装着されている。このモジュールユニット１５５０は、樹脂製であって両側部に裏面垂直方向に突出する一対のガイド１５５１、１５５１が一体的に形成されているとともに、ガイド１５５１、１５５１の先端部には相対向する方向に突出するストッパー１５５２、１５５２が形成されており、このストッパー１５５２、１５５２とモジュールユニット１５５０の裏面間でリストバンド１４０４を挾持している。
【０１１５】
モジュールユニット１５５０の内部には、スペース１５５３が形成されており、このスペース１５５３内に、前記実施の形態と同様のデータキャリアＩＣ１３０６とデータキャリア側アンテナコイル１３０７とで構成されるデータキャリアモジュール１３０５が内蔵されている。したがって、この実施の形態によれば、モジュールユニット１３５０がリストバンド１４０４の長手方向に移動可能であるので、データの交信が良好な位置にモジュールユニット１３５０を移動させて、適宜リーダー／ライター１３１０との交信を確実に行わせることができる。
【０１１６】
（第１６の実施の形態）
図４５は、本発明の第１６の実施の形態にかかる腕時計１６０１示すものである。すなわち、時計本体１６０２の外周部には、複数のキー１６２１が配置されている。時計本体１６０２の内部には、時計部１６６０及び表示部１６１４が配置されているのみならず、データキャリアＩＣ１３０６が配置されている。このデータキャリアＩＣ１３０６は、一対の固定端子１６５５、１６５５を介して、かん又部１６２０から外部に平行に突出する一対の接続用端子１６５６、１６５６に接続されている。なお、接続用端子１６５６、１６５６は、周囲に配置された絶縁部材１６５７、１６５７により時計本体１６０２と絶縁されている。また、時計本体１６０２のかん又部１６２０に接続されている樹脂製のリストバンド１６０４には、データキャリア側アンテナコイル１３０７が内蔵されており、このデータキャリア側アンテナコイル１３０７の両端部は、リストバンド１６０４内に内蔵された固定端子１６５８、１６５８に接続されている。そして、この固定端子１６５８、１６５８に前記接続端子１６５６、１６５６の先端部が接触している。したがって、データキャリア側アンテナコイル１３０７は、時計本体１６０２の外部にて樹脂製のリストバンド１６０４内に内蔵されていることから、時計１６０１本体１６０２を金属製としても、リーダー／ライター１３１０との交信に支障はない。
【０１１７】
図４６は、前記データキャリアモジュール１３０５とリーダー／ライター１３１０、及び時計部１６６０の構成を示すブロック図である。同図において、リーダー／ライター１３１０とデータキャリアモジュール１３０５の構成は図３９に示した実施の形態と同様であるが、データキャリアＩＣ１３０６のメモリー１３２５は、ユーザー読出し禁止エリア１３６１とユーザー読出し許容エリア１３６２を有し、データキャリア制御部１３２３はユーザー認証部１３６３を有している。また、時計部１６６０は、時計制御部１６６１を有し、この時計制御部１６６１に所定周波数のクロック信号を生成する発振器１６６２、前記キー１６２１、前記表示部１６１４に表示データを出力する表示出力部１６６４、スピーカ等で構成される報知出力部１６６５、及びメモリー１６６６が接続されている。このメモリー１６６６には、ユーザー認証用データ１６６７とユーザー読み出しデータ１６６８とが記憶されている。
【０１１８】
すなわち、この第１６の実施の形態においては、電子通貨や電子決済などに用いられることにより高いセキュリティを要するデータキャリアＩＣ１３０６を時計本体１６０２の内部に配置することによりセキュリティを確保している。また、データキャリア制御部１３２３を時計制御部１６６１に接続させることにより、セキュリティを損なわずに、残高や残回数、利用履歴など、データキャリアＩＣ１３０６内に記憶されたシステムの利用状況のみを時計部１６６０側から読み出し可能とし、データキャリアＩＣ１３０６側では時計部１６６０の入力部１６６３やメモリー１６６６、あるいは電源を使用可能に構成されている。このため、データキャリアＩＣ１３０６のメモリー１６６６に、時計部１６６０側からの読み出しが可能なユーザー読出し許容エリア１３６２を設ける一方、読み出しが不可能なユーザー読出し禁止エリア１３６１を設けてセキュリティを確保している。
【０１１９】
また、時計部１６６０とデータキャリアＩＣ１３０６との接続部であるデータキャリア制御部１３２３にユーザー認証部１３６３を設け、このユーザー認証部１３６３で認証ＯＫの場合以外は、アクセスできない構成とすることによっても、セキュリティを確保するようにしている。したがって、ユーザー認証部１３６３は、正当なユーザーの認証用に、デバイス識別番号、製造シリアル番号、ユーザー暗証などの照合回路若しくは暗号／復号回路などを内蔵する。
【０１２０】
また、時計部１６６０のメモリー１６６６には、前記ユーザー認証部１３６３での認証に必要なユーザー認証用データ１６６７が格納されているとともに、認証後データキャリアＩＣ１３０６側から読み出したユーザー読み出しデータが格納され、このユーザー読み出しデータが表示出力部１６６４を介して、表示部１６１４に出力された表示される。したがって、データキャリアＩＣ１３０６内のセキュリティ機能を変更したり、他の外部装置を接続することなく、セキュリティを確保しつつ時計部１６６０でデータキャリアＩＣ１３０６内のデータを視認することができる。
【０１２１】
なお、時計部１６６０からはデータキャリアＩＣ１３０６のメモリー１３２５の各エリア１３６１、１３６２を直接指定せず、認証とともに情報要求（残高、残回数、有効回数、利用履歴、所有者情報の照会など）のコマンドのみデータキャリアＩＣ１３０６に送り、データキャリアＩＣ１３０６がこれに応答して、認証成功の場合のみユーザー読出し許容エリア１３６２の情報を読み出して出力する構成としてもよい。
【０１２２】
（第１７の実施の形態）
図４７及び図４８は、本発明の第１７の実施の形態を示すものである。図４７に示すように、本実施の形態においては、腕時計１７０１の時計本体１７０２内に、データキャリアＩＣ１３０６と、このデータキャリアＩＣ１３０６に接続されたデータキャリア側アンテナコイル１３０７とで構成されたデータキャリアモジュール１３０５が配置されており、他の構成は図３７に示した実施の形態と同様である。
【０１２３】
また、本実施の形態にかかるシステム構成は、図４８に示すように、前記腕時計１７０１と、非接触データキャリア用リーダー／ライター１７７０とで構成されており、このリーダー／ライター１７７０は、制御装置／システム１７８０を介してゲート開閉装置１７８１に接続されている。
【０１２４】
図示のように腕時計１７０１のデータキャリアモジュール１３０５は、データキャリア側アンテナコイル１３０７の両端部に接続されたコンデンサ１７６０を有するともに、ＡＣ／ＤＣコンバータ１７６１、クロック再生部１７６２、復調部１７６３、及び復号部１７６４を有している。ＡＣ／ＤＣコンバータ１７６１で整流された電流は、電源制御部１７６５を介してデータキャリア制御部１７６６に与えられ、さらに、データキャリア制御部１７６６には、クロック再生部１７６２で再生されたクロック、及び復号部１７６４で復号されたデータが入力される。データキャリア制御部１７６６は、これら各部から入力されるデータ等に基づき、メモリー１７６７に記憶されているデータを符号化部１７６８に供給し、この符号化部１７６８で符号化されたデータは変調部１７６９で変調されて、データキャリア側アンテナコイル１３０７に送出されるように構成されている。
【０１２５】
一方、リーダー／ライター１７７０は、リーダー／ライター側アンテナコイル１３０８の一端にコンデンサ１７７２を介して接続されたアンテナ駆動回路１７７３と復調部１７７４とを有している。この復調部１７７４で復調された信号は、フィルター＆増幅部１７７５にてフィルタリングされるとともに増幅され、復号部１７７６でデータに復号されて前記制御装置／システム１７８０に供給される。また、この制御装置／システム１７８０からの制御信号は、符号化部１７７７で符号化され、変調部１７７８で変調されてアンテナ駆動回路１７７３に供給される。アンテナ駆動回路１７７３は、発振部１７７９から出力される所定周波数のクロックと、変調部１７７８で変調された信号とに基づき、リーダー／ライター側アンテナコイル１３０８を駆動するように構成されている。
【０１２６】
したがって、本実施の形態のように、腕時計１７０１の時計本体１７０２内にデータキャリアモジュール１３０５を配置した構成であっても、前述の図３９に示した実施の形態と同様に、この腕時計１７０１をゲート開閉装置１７８１の通過を予め許可されている者が腕に装着しておくことにより、チェックインが可能となる。
【０１２７】
尚、この場合、データキャリア側アンテナコイル１３０７の実装構造は、上記第１の実施の形態〜第１２の実施の形態に記載されているのが望ましい。
【０１２８】
（第１８の実施の形態）
図４９は、本発明の第１８の実施の形態における前記データキャリアモジュール１３０５とリーダー／ライター１７７０、及び時計部１８９０の構成を示すブロック図である。
【０１２９】
同図において、リーダー／ライター１７７０とデータキャリアモジュール１３０５の構成は図４８に示した実施の形態と同様であるが、データキャリアＩＣ１３０６のメモリー１７６７は、ユーザー読出し禁止エリア１７９１とユーザー読出し許容エリア１７９２とを有しており、データキャリア制御部１７６６はユーザー認証部１７９３を有している。
【０１３０】
一方、時計部１８９０は、前述の図１５に示した時計用ＬＳＩ基板４２１と、それに実装された他のディバイス、前記ＬＣＤパネル４２３及び前述の図１６に示したキー（操作ボタン）４１０とによって構成されるものであって、時計制御部１８９１を有し、この時計制御部１８９１に所定周波数のクロック信号を生成する発振器１８９２、前記キー（操作ボタン）１０等で構成される入力部１８９３、前記ＬＣＤパネル４２３に表示データを出力する表示出力部１８９４、スピーカ等で構成される報知出力部１８９５、及びメモリー１８９６が接続されている。このメモリー１８９６には、ユーザー認証用データ１８９７とユーザー読み出しデータ１８９８とが記憶されている。
【０１３１】
すなわち、この第１２の実施の形態においては、電子通貨や電子決済などに用いられるような高いセキュリティを要するデータキャリアＩＣ１３０６を時計本体の内部に配置することによりセキュリティを確保している。
【０１３２】
また、データキャリアモジュール１３０５を時計制御部１８９１に接続させることにより、セキュリティを損なわずに、残高や残回数、利用履歴など、データキャリアＩＣ１３０６内のＲＦ−ＩＤシステムの利用状況の一部のみを時計部１８９０側から読み出し可能とし、データキャリアＩＣ１３０６側では時計部１８９０の入力部１８９３やメモリー１８９６、あるいは電源を使用可能に構成されている。このため、データキャリアＩＣ１３０６のメモリー１７６７に、時計部１８９０側からの読み出しが可能なユーザー読出し許容エリア１７９２を設ける一方、読み出しが不可能なユーザー読出し禁止エリア１７９１を設けてセキュリティを確保している。
【０１３３】
また、時計部１８９０とデータキャリアＩＣ１３０６との接続部であるデータキャリア制御部１７６６にユーザー認証部１７９３を設け、このユーザー認証部１７９３で認証ＯＫの場合以外は、アクセスできない構成とすることによっても、セキュリティを確保するようにしている。したがって、ユーザー認証部１７９３は、正当なユーザーの認証用に、デバイス識別番号、製造シリアル番号、ユーザー暗証などの照合回路若しくは暗号／復号回路などを内蔵する。また、時計部１８９０のメモリー１８９６には、前記ユーザー認証部１７９３での認証に必要なユーザー認証用データ１８９７が格納されているとともに、認証後データキャリアＩＣ１３０６側から読み出したユーザー読み出しデータが格納され、このユーザー読み出しデータが表示出力部１８９４を介して、ＬＣＤパネル４２３に出力され表示される。したがって、データキャリアＩＣ１３０６内のセキュリティ機能を変更したり、他の外部装置を接続することなく、セキュリティを確保しつつ時計部１８９０でデータキャリアＩＣ１３０６内のデータを視認することができる。
【０１３４】
なお、時計部１８９０からはデータキャリアＩＣ１３０６のメモリー１７６７の各エリア１７９１、１７９２を直接指定せず、認証とともに情報要求（残高、残回数、有効回数、利用履歴、所有者情報の照会など）のコマンドのみデータキャリアＩＣ１３０６に送り、データキャリアＩＣ１３０６がこれに応答して、認証成功の場合のみユーザー読出し許容エリア１７９２の情報を読み出して出力する構成としてもよい。
【０１３５】
（第１９の実施の形態）
図５０は、本発明の第１９の実施の形態を示すものである。すなわち、図４３Ｂに示した実施の形態と同様に、本実施の形態にかかる腕時計１９０１の時計本体１９０２及びリストバンド１３０３、１３０４は金属製であって、時計本体１９０２の他方のかん又部１９４１には、樹脂製の介装部材１９４０が係止されている。時計本体１９０２の外周部には、複数のキー１９２１が配置されている。時計本体１９０２の内部には、時計部１６６０及び表示部１６１４が配置されているのみならず、データキャリアＩＣ１３０６が配置されている。このデータキャリアＩＣ１３０６は、一対の固定端子１６５５、１６５５を介して、かん又部１９４１から外部に平行に突出する一対の接続用端子１６５６、１６５６に接続されている。なお、接続用端子１６５６、１６５６は、周囲に配置された絶縁部材１６５７、１６５７により時計本体１９０２と絶縁されている。また、前記介装部材１９４０には、データキャリア側アンテナコイル７１３０が内蔵されており、このデータキャリア側アンテナコイル１３０７の両端部は、介装部材１９４０内に配置された固定端子１６５８、１６５８に接続されている。そして、この固定端子１６５８、１６５８に前記接続端子１６５６、１６５６の先端部が接触している。したがって、データキャリア側アンテナコイル１３０７は、時計本体１９０２の外部にて介装部材１９４０に内蔵されていることから、時計本体１９０２やリストバンド１３０４を金属製としても、リーダー／ライター１３１０との交信に支障はない。
【０１３６】
（第２０の実施の形態）
図５１Ａ、図５１Ｂ及び図５２は、本発明の第２０の実施の形態を示すものである。すなわち、同図に示す腕時計２００１の時計本体２００２及びリストバンド１３０３、１３０４は金属製であって、図４３Ｂに示した実施の形態と同様に、時計本体２００２の他方のかん又部２０４１には、樹脂製の介装部材２０４０が係止されている。時計本体２００２の外周部には、複数のキー２０２１が配置されている。時計本体２００２の内部には、時計部１６６０及び表示部１６１４が配置され、時計部１６６０は３個の固定端子１６５５を介して、かん又部２０１４から外部に平行に突出する３本の接続用端子１６５６に接続されている。なお、各接続用端子１６５６は、周囲に配置された絶縁部材１６５７により時計本体２００２と絶縁されている。また、前記介装部材２０４０には、データキャリアＩＣ１３０６とデータキャリア側アンテナコイル１３０７とで構成されるデータキャリアモジュール１３０５が内蔵されおり、データキャリアモジュール１３０５は、介装部材２０４０内に配置された３個の固定端子１６５８に接続されている。そして、この各固定端子１６５８に前記各接続端子１６５６の先端部が接触している。したがって、データキャリア側アンテナコイル１３０７は、時計本体２００２の外部にて介装部材２０４０に内蔵されていることから、時計本体２００２やリストバンド１３０４を金属製としても、リーダー／ライター１３１０との交信に支障はない。また、時計部１６６０を介して、時計用の入出力部や電源などを、データキャリアモジュール１３０５と兼用することができ、データキャリアモジュール１３０５が内蔵された介装部材２０４０と時計本体２００２とを各々個別に交換することも可能となる。
【０１３７】
なお、図５２は、本実施の形態における前記データキャリアモジュール１３０５とリーダー／ライター１３１０、及び時計部１６６０の構成を示すブロック図である。同図に示すように、リーダー／ライター１３１０、データキャリアモジュール１３０５、及び時計部１６１０の構成は前述の図４９に示した実施の形態と同様である。そして、データキャリアモジュール１３０５のユーザー認証部１３６３が前記接続用端子１６５６を介して時計部１６６０の時計制御部１６６１に接続されている。
【０１３８】
（第２１の実施の形態）
図５３は、本発明の第２１の実施の形態のシステム構成を示すものである。図に示すように、本システムを構成する腕時計２１０１は、時計本体２１０２と、この時計本体２１０２の両端部に係止された樹脂製のリストバンド２１０３、２１０４とで構成されており、一方のリストバンド２１０４には、データキャリア側アンテナコイル１３０７が配設されている。また、時計本体２１０２には、データキャリア側アンテナコイル１３０７に接続されたデータキャリアＩＣ１３０６と、このデータキャリアＩＣ１３０６に接続された制御部２１０５及びこの制御部２１０５に各々接続された表示出力部２１０６と身体装着センサｏｒ生体情報センサ２１０７が設けられている。身体装着センサｏｒ生体情報センサ２１０７は、体温を検出する温度センサや脈拍を検出する脈拍センサであって、この身体装着センサｏｒ生体情報センサ２１０７からの信号により、制御部２１０５が腕時計の装着を検出するように構成されている。
なお、リーダー／ライター側アンテナコイル１３０８からゲート開閉装置１３１２までのシステム構成は、図３７に示した実施の形態と同様である。
【０１３９】
かかる本実施の形態において、図５４に示すように、身体装着センサｏｒ生体情報センサ５０２からの出力信号５４Ａは、この腕時計２１０１がユーザーの身体（腕）に装着されていない身体非装着時にはロウレベルであり、身体装着中においてはハイレベルとなる。また、制御部２１０５は、所定周期のクロック信号（５４Ｂ）を生成する。すると、データキャリアＩＣ１３０６は、身体装着センサｏｒ生体情報センサ２１０７からの出力信号５４Ａがハイレベルに変化した時点のクロック信号５４Ｂからロウレベルに変化した時点のクロック信号５４Ｂまでの間、ＯＮとなってデータキャリア制御ストローブ信号５４Ｃを生成する。そして、この間、リーダー／ライター１３１０側からの定期的な送信信号５４Ｄを受信するとともに、この送信信号５４Ｄに対応するデータキャリアＩＣ側の応答／送受信処理５４Ｅを実行する。
【０１４０】
つまり、この実施の形態においては、腕時計２１０１の身体への装着が検知されている間は、定期的に待ち受け受信して、リーダー／ライター１３１０からの電磁波や電磁界の信号を受けたときのみＩＤ  Ｔａｇとして正常に応答作動し、装着中でないことが検知されているときには、リーダー／ライター１３１０からの信号受けても、動作しないように制御する。よって、腕時計２１０１を身体に装着していない時や紛失時に、動作することがなく、これによりセキュリティを確保することができるのみならず、電力消費を防止することができる。
【０１４１】
（第２２の実施の形態）
図５５は、本発明の第２２の実施の形態のシステム構成を示すものである。この実施の形態のシステム構成は、前記図５３に示した実施の形態における身体装着センサｏｒ生体情報センサ２１０７に代わって、傾斜センサ２２０７が設けられている。この傾斜センサ２２０７は、傾斜や回転が可能な永久磁石とリードスイッチ（若しくは磁気センサ）とを組み合わせたセンサ、あるいはカプセルや球状の小形筐体の内壁に対向電極などの導通スイッチを設け、筐体内に金属ボールや電導性液体を封じたセンサなどで構成される。したがって、この傾斜センサ２２０７により、腕時計２１０１を装着した腕の姿勢角度や、腕時計２１０１の位置が一定角度に傾斜しているか否かを検知可能に構成されている。
【０１４２】
かかる本実施の形態において、図５６に示すように、傾斜センサ２２０７は一定角度に一定時間以上傾斜している状態を検出すると、所定のタイミングで傾斜センサ検出信号５６Ａを出力する。すると、データキャリアＩＣ１３０６は、傾斜センサ検出信号５６Ａの出力タイミング毎にｔ１間隔でＯＮとなって、データキャリア制御ストローブ信号５６Ｂを生成する。そして、この間においてのみ、リーダー／ライター１３１０側からの定期的な送信信号５６Ｃを受信するとともに、この送信信号５６Ｃに対応するデータキャリアＩＣ側の応答／送受信処理５６Ｄを実行する。
【０１４３】
つまり、この実施の形態においても、腕時計２１０１がユーザーの身体に装着されて一定角度の範囲に傾斜した姿勢のときのみ、あるいは、一定の傾斜位置になった後一定時間のみ、ＩＤ  Ｔａｇとして動作し、そうでないときには自動的に動作を中止するか、リーダー／ライター１３１０からの信号を受けても応答しないように制御される。したがって、リーダー／ライター側アンテナコイル１３０８に対して、腕時計１やデータキャリア側アンテナコイル１３０７が一定の姿勢や傾斜位置の場合にのみ作動して、確実に通信動作する。また、不自然な姿勢や位置の場合は、不使用と判断することができ、これによりセキュリティを確保しかつ誤動作を防止することができる。
【０１４４】
（第２３の実施の形態）
図５７及び図５８は、本発明の第２３の実施の形態を示すものである。図５７に示すように、本実施の形態は、腕時計２３０１と、第１システム２３１１及び第２システム２３２２で構成される。腕時計２３０１は、メタル製の時計本体２３０２と、この時計本体２３０２の両端部に係止された樹脂製のリストバンド２３０３、２３０４とで構成されており、一方のリストバンド２３０４には、データキャリア側アンテナコイル１３０７が配設されている。
【０１４５】
時計本体２３０２内には、順次接続された表示部２３０５、時計部２３０６、第１データキャリアＩＣ２３０７及び第２データキャリアＩＣ２３０８が配置されている。第１データキャリアＩＣ２３０７及び第２データキャリアＩＣ２３０８は、ともにデータキャリア側アンテナコイル１３０７に接続されている。
【０１４６】
前記第１システム２３１１と第２システム２３２２とは、制御内容的には同一であって、前記実施の形態と同様に、リーダー／ライター側アンテナコイル１３０８、リーダー／ライター１３１０、制御装置／システム１３１１及びゲート開閉装置１３１２で構成されている。但し、第１システム２３１１と第２システム２３２２の搬送周波数は異なり、例えば第１システム２３１１の搬送周波数は１２５ＫＨｚであり、第２システム２３２２の搬送周波数は１３．５６ＭＨｚである。
【０１４７】
また、図５８に示すように、前記第１データキャリアＩＣ２３０７と第２データキャリアＩＣ２３０８も、回路的には同一構成であって、図４６に示した実施の形態と同様の回路構成である。但し、第１データキャリアＩＣ２３０７と第２データキャリアＩＣ２３０８搬送周波数は異なり、例えば第１データキャリアＩＣ２３０７の搬送周波数は１２５ＫＨｚであり、第２データキャリアＩＣ２３０８の搬送周波数は１３．５６ＭＨｚである。また、時計部２３０６も図４６に示した実施の形態と同様の回路構成であり、時計部２３０６内の時計制御部１６１６からの制御信号が、各データキャリアＩＣ２３０７、２３０８内のデータキャリア制御部１３２３に与えられるようになっている。
【０１４８】
したがって、時計制御部１６１６からの制御信号によって、各データキャリアＩＣ２３０７、２３０８内のデータキャリア制御部１３２３を制御することにより、搬送周波数の異なる第１システム２３１１と第２システム２３２２との間で送受信を行うことができる。よって、単一の腕時計２３０１を携帯することのみにより、複数のシステムとの送受信が可能となる。無論、より多数のデータキャリアＩＣを内蔵することにより、より多種類のシステムに対して、同一の腕時計を使用することが可能となる。
【０１４９】
（変形例その１）
なお、この実施の形態においては、データキャリア側アンテナコイル１３０７を一方のリストバンド２３０４に配置するようにしたが、図５９に示すように、データキャリア側アンテナコイル１３０７を時計本体２３０２内に配置するようにしてもよい。
【０１５０】
尚、この場合データキャリア側アンテナコイル１３０７の時計本体への実装構造は、上記第１の実施の形態〜第１２の実施の形態に記載されるようなものが望ましい。
【０１５１】
（変形例その２）
また、この実施の形態においては、単一のデータキャリア側アンテナコイル１３０７のみを設け、第１データキャリアＩＣ２３０７と第２データキャリアＩＣ２３０８とで、データキャリア側アンテナコイル１３０７を共用するようにしたが、図６０に示すように、第１データキャリアＩＣ２３０７と第２データキャリアＩＣ２３０８とに各々接続された個別のデータキャリア側アンテナコイル１３０７、１３０７を設けるようにしてもよい。この場合、図示のように、各データキャリア側アンテナコイル１３０７、１３０７を個別に各リストバンド２３０３、２３０４に配置することが好ましい。
【０１５２】
（変形例その３）
また、単一のデータキャリア側アンテナコイル１３０７のみを用いる場合、図６１に示しような回路構成とすることもできる。この変形例において、時計部１６６０は、図４６に示した実施の形態と同様の回路構成である。また、データキャリアＩＣ２３０９は、メモリー１３７１の構成と分周回路及びマッチング回路１３７２を有する点のみにおいて、図４６に示した実施の形態と異なっている。すなわち、メモリー１３７１は、図４６に示した実施の形態と同様のユーザー読出し禁止エリア２３６１とユーザー読出し許容エリア２３６２を有するのみならず、変復調設定エリア１３７３を有している。また、分周回路及びマッチング回路１３７２は、異なるシステムに対応するような周波数帯の搬送波を生成手段を形成するものであって、データキャリア制御部１３２３に接続されているとともに、変調部１３２７、クロック再生部１３２０、及び復調部１３２１に接続されている。
【０１５３】
かかる構成において、ユーザーが予めキー１６２１を操作して複数種のシステムの搬送周波数を入力すると、この入力された複数の搬送周波数がメモリー１３７１の変復調設定エリア１３７３に記憶される。データキャリア制御部１３２３は、この変復調設定エリア１３７３に記憶されている周波数を読み出して、分周回路及びマッチング回路１３７２に供給し、分周回路及びマッチング回路１３７２は、当該周波数の信号を変調部１３２７、クロック再生部１３２０、及び復調部１３２１に出力する。したがって、変復調設定エリア１３７３に記憶された搬送周波数のシステムからの信号を復調部１３２１で復調し、あるいは当該システムへの信号を変調部１３２７で変調して、送受信を行うことができる。つまり、この変形例によれば、変調設定エリア１３７３に記憶させた複数種の周波数に対応する複数種のシステムとの交信が可能となる。
【０１５４】
なお、第２３の実施の形態においては、一つあるいは二つのアンテナコイルの周波数を、複数のＲＦ−ＩＤシステムに適用できるように制御するようにしたが、ループ状のアンテナコイルを用いて無線によるデータ通信を行なえるシステムであれば、構内／広域ページングシステムにも適用できる。
【０１５５】
図６２〜図７４は、本発明の第２４〜第２９の実施の形態を示すものであり、データキャリア機能付き腕時計を利用した、各種ネットワークシステム、電子取引等のサービスを示すものである。以下、各実施の形態について詳述する。
【０１５６】
（第２４の実施の形態）
図６２は、本発明の第２４の実施の形態のシステム構成を示すものである。図に示すように、本システムは、腕時計２４０１と、非接触式ＩＣカード（ＩＤ  Ｔａｇ）２４８０、及びリーダー／ライター装置２４８３とで構成されている。腕時計２４０１は、時計本体２４０２と、この時計本体２４０２の両端部に係止されたリストバンド２４０３、２４０４とで構成されており、一方のリストバンド２４０４にはデータキャリア側アンテナコイル１３０７が配設されている。また、時計本体２４０２は、データキャリア側アンテナコイル１３０７に接続された読取り専用リーダー部２４７０、時計制御部２４７１、及び表示出力部２４７２及び図示しない表示部等を備えている。
【０１５７】
非接触式ＩＣカード２４８０（ＩＤ  Ｔａｇ）は、前記データキャリア側アンテナコイル１３０７と誘導電磁界又は電磁波により交信するデータキャリア側アンテナコイル２４８１とデータキャリア用ＩＣ２４８２とを備えている。また、リーダー／ライター装置２４８３は、非接触式ＩＣカード（ＩＤ  Ｔａｇ）２４８０のデータキャリア側アンテナコイル２４８１と誘導電磁界又は電磁波により交信するリーダー／ライター側アンテナコイル１３０８を備えている。このリーダー／ライター側アンテナコイル１３０８は、一端を接地されているとともに、他端をリーダー／ライター１３１０に接続され、このリーダー／ライター１３１０は、システム１３１１を介してゲート開閉装置１３１２に接続されている。
【０１５８】
したがって、この実施の形態においては、図６３に示すように、非接触式ＩＣカード２４８０（ＩＤ  Ｔａｇ）をポケット等に携帯しておくことにより、ゲート開閉装置１３１２を自動開閉させるＩＤ  Ｔａｇの機能や電子通貨データを発生させることができ、さらにシステム利用者が腕時計２４０１を腕に装着し、非接触式ＩＣカード（ＩＤ  Ｔａｇ）２４８０を腕時計２０４１に近づければ、非接触式ＩＣカード２４８０（ＩＤ  Ｔａｇ）と、腕時計２０４１とで誘導電磁波による交信が自動的に行なわれ、図示するようにデータキャリア用ＩＣ２４８２に記憶された利用履歴等が腕時計２４０１の表示出力部２４７２に表示される。
【０１５９】
したがって、システム利用者はシステムの利用状況等を容易に確認することが可能となる。
【０１６０】
なお、腕時計２４０１の具体的構成については、前記各実施の形態に示した構成を適宜採用すればよい。
なお、図６４に示すように、データキャリア側アンテナコイル１３０７を時計本体２４０２内に配置するようにしてもよい。
【０１６１】
この場合データキャリア側アンテナコイル１３０７の時計本体２４０２への実装構造は、上記第１の実施の形態〜第１２の実施の形態に記載されるようなものが望ましい。
【０１６２】
（第２５の実施の形態）
図６５は、本発明の第２５の実施の形態のシステム構成を示すものである。図に示すように、本システムは、腕時計２５０１と、リーダー／ライター装置２５８７とで構成されている。腕時計２５０１は、時計本体２５０２と、この時計本体２５０２の両端部に係止されたリストバンド２５０３、２５０４とで構成されており、一方のリストバンド部又はバンド取付部２５０５にはデータキャリア側アンテナコイル１３０７が配設されている。また、時計本体２５０２は、データキャリア側アンテナコイル１３０７に接続された無線送受信部２５７３が設けられており、無線送受信部２５７３はデータキャリア／時計制御部２５７４に接続されている。また、このデータキャリア／時計制御部２５７４には、表示出力部２５７２とＩｒＤＡ規格に準拠した赤外線データ通信（以下、ＩｒＤＡ（Ｉｎｆｒａｒｅｄ  Ｄａｔａ  Ａｓｓｏｃｉａｔｉｏｎ）と称す）方式用の送受光部２５７５とが接続されている。
【０１６３】
リーダー／ライター装置２５８７は、前記腕時計２５０１のデータキャリア側アンテナコイル１３０７と誘導電磁界又は電磁波により交信するリーダー／ライター側アンテナコイル１３０８を備えるとともに、前記腕時計２５０１の送受光部２５７５とＩｒＤＡ方式によりデータ通信する送受信部２５８４を備えている。そして、リーダー／ライター側アンテナコイル１３０８は、一端を接地されているとともに他端をＲＦ−ＩＤシステム用リーダー／ライター２５８６に接続され、送受信部２５８４はＩｒＤＡ用リーダー／ライター２５８５に接続されている。また、ＲＦ−ＩＤシステム用リーダー／ライター２５８６とＩｒＤＡ用リーダー／ライター２５８５とは、ＬＡＮ２５９９を介して、制御装置／システム１３１１とゲート開閉装置１３１２に接続されている。
【０１６４】
したがって、かかる第２５の実施の形態によれば、誘導電磁界や電磁波による交信のみならず、赤外線によるデータ通信も可能となり、図６６に示したような多種多様なシステムへの使用が可能となる。
【０１６５】
例えば、多種多様なデータ通信方式が混在したサイバーモール等のネットワークを管理するシステムにおいて、ネットワークサーバに構築される制御装置／システム１３１１と、この制御装置／システム１３１１に接続されているＩｒＤＡ方式の情報送信器ｏｒＩｒＤＡ方式のメッセージ表示器２５８８との間で、システム利用者はこの制御装置／システム１３１１が記憶管理する情報を検索、あるいは新規情報を登録する。
【０１６６】
また、当該制御装置／システム１３１１に接続され、市街地や観光地等に設置されたＩｒＤＡ方式のマルチメディア・キオスク２５８９に、地域情報、案内情報、若しくはサービス情報等、当該制御装置／システム１３１１が提供する情報源から所望の情報を読み出してブラウザ表示させたり、情報交換を行う。
【０１６７】
また、制御装置／システム１３１１が外部にある電子決済システム（図示せず）と、ＲＦ−ＩＤ／ＩｒＤＡ方式兼用自動販売機／券売機／充填機２５９０とを接続管理することにより、これらのＲＦ−ＩＤ／ＩｒＤＡ方式兼用自動販売機／券売機／充填機２５９０を利用してキャッシュレスで所望の商品等を購入する。
【０１６８】
更に制御装置／システム１３１１に接続された上述のＲＦ−ＩＤシステム用自動改札ゲート２５９１との交信によりシステム利用者は自動改札を行う等が可能となる。
【０１６９】
このように第２５の実施の形態によれば、システム利用者は、多種多様なデータ通信形態が混在するインフラストラクチャを備えるネットワークシステムにおいて、各データ形態に合わせた情報端末を持ち歩く必要が無く、提供される各種情報サービスを、腕時計２５０１を着用するのみで利用することができる。
なお、本実施の形態においても図６７に示すように、データキャリア側アンテナコイル１３０７を時計本体２５０２内に配置するようにしてもよい。
【０１７０】
この場合データキャリア側アンテナコイル１３０７の時計本体への実装構造は、上記第１の実施の形態〜第１２の実施の形態に記載されるようなものが望ましい。
【０１７１】
（第２６の実施の形態）
図６８は、本発明の第２６の実施の形態のシステム構成を示すものである。図に示すように、本システムを構成する腕時計２６０１は、時計本体２６０２と時計本体２６０２の両端部に係止されたリストバンド２６０３、２６０４とで構成されている。時計本体２６０２には、データキャリア側アンテナコイル１３０７に接続されたデータキャリアＩＣ１３０６と、このデータキャリアＩＣ１３０６に接続された制御部２６５１及びこの制御部２６５１に各々接続された表示出力部２６７２と通信機器接続インターフェース２６５４とが設けられており、通信機器接続インターフェース２６５４には接続端子部２６５５が接続されている。
【０１７２】
この接続端子部２６５５は、例えばセルラーフォン、スマートフォン、ＰＤＡ等の移動体通信端末２６５６を用いて、システム２６５７の利用者が公衆電話回線網（ＰＳＴＮ）に接続可能な無線データ通信ネットワークシステム上の無線基地局２６５１とデータ通信を行なうため、又は有線／無線モデムポートを装備した通信機器２６１３と接続して上記無線データ通信ネットワークシステムとのデータ通信が可能である。
【０１７３】
無線基地局２６５１は移動体通信ネットワーク網２６５９、ネットワーク網２６５８を介してシステム２６５７に接続され、通信機器２６１３はネットワーク網２６１２を介して前記システム２６５７に接続されている。
【０１７４】
したがって、かかる実施の形態によれば、データキャリア側アンテナコイル１３０７及びデータキャリアＩＣ１３０６により、リーダー／ライター１３１０側から受信したデータを移動体通信端末２６５６又は通信機器２６１３によりシステム２６５７に送信することができる。あるいは、システム２６５７側からの非接触式データキャリアのデータを移動体通信端末２６５６又は通信機器１６１３を介して腕時計２６０１側で受信して書き込み、これをデータキャリアＩＣ１３０６及びデータキャリア側アンテナコイル１３０７を介して、リーダー／ライター１３１０側に送信することもできる。
このような第２６の実施の形態によれば、システム利用者は、腕時計２６０１を着用するのみで、例えば、上記無線データ通信ネットワークシステムが提供するサービス（基本通話サービスやデータ通信サービス）において、利用者の認証が必要な登録制サービスにおいて、利用や更新手続きが容易になる。
【０１７５】
無論、本実施の形態においても図６９に示すように、データキャリア側アンテナコイル１３０７を時計本体２６０２内に配置するようにしてもよい。
【０１７６】
この場合データキャリア側アンテナコイル１３０７の時計本体への実装構造は、上記第１の実施の形態〜第１２の実施の形態に記載されるようなものが望ましい。
【０１７７】
（第２７の実施の形態）
図７０は、本発明の第２７の実施の形態を示すものであり、インターネット上にＳｅｃｕｒｅ  Ｅｌｅｃｔｒｏｎｉｃ  Ｔｒａｎｓａｃｔｉｏｎ（以下ＳＥＴと称す）という決済プロトコル適用し、これに腕時計型のＩＤ  Ｔａｇを用いた場合の決済サービスシステムを示した図である。
【０１７８】
すなわち、本システムにおいて腕時計２７０１は、時計本体２７０２と、時計本体２７０２の両端部に係止されたバンド２７０３、２７０４とで構成されている。
【０１７９】
一方のリストバンド２７０４にデータキャリア側アンテナコイル１３０７が設けられ、時計本体２７０２には、データキャリア側アンテナコイル１３０７に接続された送受信部２７１４、この送受信部２７１４に制御部２７５１を接続された入出力部２７１５、キー２７２１、及び表示出力部２７７２が設けられている。また、時計本体２７０２の図示しないＲＯＭ等の不揮発性メモリには、ブラウザ（インターネット閲覧用ソフトウエア）２７１６や上記ＳＥＴに準拠するＷａｌｌｅｔ（ショッピングの決済指示を後述するマーチャントＰＯＳに送信するためのソフトウエア）２７１７が予めインストールされている。
【０１８０】
また、認証制御部２７１８は、ＲＦ−ＩＤシステムにおける利用者の認証のみだけでなく、この利用者が既存のクレジットカード会員である場合、真正性確認のためのカード番号を記憶するメモリを備え、このメモリの機能は上述した各実施の形態におけるユーザー認証用データメモリ１６６７に準じる。
【０１８１】
一方、リーダー／ライター側アンテナコイル１３０８を備えたリーダー／ライター１３１０には、マーチャントＰＯＳ（Ｍａｒｃｈａｎｔ  ＰＯＳ）２７１９が接続され、このマーチャントＰＯＳは、インターネット２７２０を介して仮想商店街の各加盟店のマーチャント・サーバ（Ｍａｒｃｈａｎｔ  Ｓｅｒｖｅｒ）２７２１に接続される。
【０１８２】
このマーチャント・サーバ２７２１にはショッピングアプリケーション（ソフトウエア）２７２２、及び上記ＳＥＴに準拠した処理、及び利用者の証明書管理処理を行うＭｅｒｃｈａｎｔ（ソフトウエア）２７２３が予めインストールされており、商取引の発生の際、マーチャント・サーバ２７２１はこれらのソフトウエアによって制御される。
【０１８３】
また、マーチャント・サーバ２７２１は、インターネット２７２４をＳＥＴ  Ｇａｔｅｗａｙ（上記ＳＥＴ準拠のＰａｙｍｅｎｔ  Ｇａｔｅｗａｙ）２７２５を介して、ＰＯＳ専用回線で既存の決済システム２７２６と接続されている。
【０１８４】
すなわち、この実施の形態においては、時計本体２７０２にブラウザ２７１６と、Ｗａｌｌｅｔ２７１７と、真正性確認のためのクレジット番号データ、暗証番号等、利用者に割り当てられた固有の情報記憶するメモリ（認証制御部２７１８）とを内蔵する。
【０１８５】
そしてまず利用者は、仮想商店街の中の所望の加盟店のＵＲＬをキー２７２１により入力し、腕時計２７０１をリーダー／ライター側アンテナコイルにかざすと、腕時計２７０１は、リーダー／ライター側アンテナコイル１３０８、リーダー／ライター１３１０、及びマーチャントＰＯＳを介して、ＨＴＴＰによってインターネット２７２０上のこの加盟店のマーチャントサーバにアクセスする。
【０１８６】
そして、アクセス要求された加盟店が、ショッピングアプリケーション２７２２を起動して作成した商品情報等のデータを送信する。
（データ通信方法については、ＲＦ−ＩＤシステムを用いても良いが、ＨＴＴＰデータのデータ量が大きい場合、ＩｒＤＡ、有線／無線によるデータ配信が好ましい。この場合、システム構成は上記第２５の実施の形態、第２６の実施の形態に準じる。）
【０１８７】
表示出力部２７７２に表示された商品情報等により取引可能な商品を閲覧した後、利用者が所望の商品の購入をキー２７２１で選択指示すると、その後は腕時計２７０１をリーダー／ライターにかざすだけで、インターネットを利用した商取引が成立する。
【０１８８】
すなわち、利用者が腕時計２７０１をリーダー／ライター側アンテナコイルにかざすと、選択された商品の識別番号を記憶したメモリ（制御部２７５１内にある）から商品の識別番号を読出し、ＷａｌｌｅｔによりＳＥＴに準拠した決済指示を作成し、データキャリア側アンテナコイル１３０７からリーダー／ライター側アンテナコイル１３０８、リーダー／ライター１３１０、及びマーチャントＰＯＳを介して、ＳＥＴ（決済プロトコル）によってインターネット２７２０で仮想商店街における各加盟店のマーチャーント・サーバー２７２１に接続されてこれらの情報が送信される。
【０１８９】
更にＭｅｒｃｈａｎｔ２７２３は、インターネット２７２４からＳＥＴ  Ｇａｔｅｗａｙ２７２５を中継してＰＯＳ専用回線の金融機関の既存決済システム２７２６で認証や与信の確認を行ない、クレジットとして決済される。
無論、本実施の形態においても図７１に示すように、データキャリア側アンテナコイル１３０７を時計本体２７０２内に配置するようにしてもよい。
【０１９０】
この場合データキャリア側アンテナコイル１３０７の時計本体への実装構造は、上記第１の実施の形態〜第１２の実施の形態に記載されるようなものが望ましい。
【０１９１】
（第２８の実施の形態）
図７２は、本発明の第２８の実施の形態を示すものであり、第２７の実施の形態を基板に、ネットワークシステム上に展開する、代金決済システム、電子決済システム、電子通貨支払システムに本発明を適用したものである。
【０１９２】
すなわち、ＩＤ  Ｔａｇ機能を有する腕時計２８０１は街角に設置され、認証、及び利用者と仮想商店街の加盟店との商品取引を端末２８３０（端末の種類は、ＰＣ、ＰＯＳ、ＡＴＭ（ＣＤ）、街頭に設置されたマルチメディア・キオスクが考えられるが、ネットワーク接続機能を有し、ＲＦ−ＩＤシステムを含むものであればこれに限定されない。）と接続、認証を行なう。
【０１９３】
するとこの端末２８３０はインターネット等の広域情報通信網（以下、Ｗ．Ｗ．Ｗ（Ｗｏｒｌｄ  Ｗｉｄｅ  Ｗｅｂ）と称する。）２８３１を介して、加盟店２８３２のマーチャーント・サーバー２８３３に接続される。
【０１９４】
さらに、マーチャーント・サーバー２８３３は再びてＷ．Ｗ．Ｗ２８３４を介して、金融機関２８３５のゲートウェイ２８３６、金融ホスト（ネットワーク上のメインバンク）２８３７に接続される。
【０１９５】
ここで、ネットワーク上において発生し、暗号化されて受信した利用者と加盟店２８３２との商取引に関連する情報に対し、金融ホストは、予め定められた公開鍵を使用して認証者を識別するための固有の情報、加盟店のネットワーク上の登録情報、及び、売買情報（金額）等を得る。
【０１９６】
その後、これらの情報に基づいて、利用者の銀行２８４０の預金口座から上記売買情報に基づく金額データを読み出して、加盟店の銀行２８３９への振込代行処理を行う（加盟店の銀行２８３９と利用者の銀行２８４０とは口座番号が異なるだけで同一であってもよい。）。
【０１９７】
前記腕時計２８０１は上記処理に対応する様々なプログラム（機能）を内蔵する。
【０１９８】
まず、ＲＦ−ＩＤシステムに対応する送受信インターフェース２８４１を備える（本発明の特徴としてＲＦ−ＩＤシステムを用いたが、ＩｒＤＡ、Ｂｌｕｅ  ｔｏｏｔｈであってもよい）。
【０１９９】
また、前記腕時計２８０１は、この送受信インターフェース２８４１に接続され、ＩＣチップ等で構成された電子ウォレット制御部２８４２と、ＲＯＭ等の不揮発性メモリで構成され、この電子ウォレット制御部２８４２に接続され、当該ネットワークおいて、クレジット番号データ、預金口座番号データ、暗証番号等、認証者本人であることを識別させるための固有情報を記憶する本人認証部２８４３を備える。
【０２００】
更に電子ウォレット制御部２８４２は、クレジットシステム用電子決済機能２８４４、銀行口座用電子決済機能２８４５、電子通貨処理機能２８４６、電子小切手システム用処理機能２８４７、及び電子クーポン処理機能２８４８を実行するプログラム（ソフトウェア）を備え、図示されないが、夫々の機能に対応して、前記商取引において発生した金額データを既存のネットワークを介して受取り、それを利用して、利用状況（預金残高等）を記憶するメモリを備える。
【０２０１】
このように第２８の実施の形態では前述した第２７の実施の形態と同様に、前記腕時計２８０１の所有者（利用者）は、端末に設置されたリーダー／ライター（不図示、詳細は第２７の実施の形態に準じる。）に前記腕時計２８０１をかざすだけで、端末２８３０を介して、加盟店２８３２とのデータ通信（商取引）の決済指示を行ない、更に、Ｗ．Ｗ．Ｗ２８３１，２８３４を通じて金融機関２８３５側から得られる認証、及び与信の確認得て、クレジットシステム用電子決済、銀行口座用電子決済、電子通貨決済、電子小切手決済、及び電子クーポン決済ができる。
【０２０２】
（第２９の実施の形態）
図７３は、本発明の第２９の実施の形態を示すものであり、外部から各種サーバにアクセスするための認証システムに本発明を適用したものである。
【０２０３】
すなわち、本システムを構成する腕時計２９０１は、時計本体２９０２と、時計本体２９０２の両端部に係止されたリストバンド２９０３、２９０４とで構成されている。
【０２０４】
一方のリストバンド２９０４にデータキャリア側アンテナコイル１３０７が設けられ、時計本体１９０２には、データキャリア側アンテナコイル１３０７に接続された送受信部２９１４、この送受信部２９１４に順次接続された制御部２９５１、本認証システムにおける処理プログラムを格納した通信処理実行プログラム２９６０、通信接続制御部２９６１、及び入出力部２９１５が設けられている。
【０２０５】
一方、一端を接地されたリーダー／ライター側アンテナコイル１３０８の他端部は、無線送受信部２９６３を介して通信接続装置ｏｒリモートアクセスサーバー２９６４に接続されている。
【０２０６】
通信接続装置ｏｒリモートアクセスサーバー２９６４は、通信制御部２９６５、認証制御部２９６６、通信接続制御部２９８７、ネットワーク接続部２９６８を備えている。
【０２０７】
ネットワーク接続部２９６８は、ＬＡＮ２９７３を介して、認証サーバー２９６９、各種サーバー２９７０、２９７１、及びホストＰＣ２９７２に接続されている。
【０２０８】
かかる実施の形態において、腕時計２９０１は通信処理実行プログラム２９６０の内容に基づいて、通信接続制御部２９６１を制御して、本人認証データ部２９６２に格納されている、予め当該ネットワークにおいて割り当てられた登録者番号データ等、固有の情報に基づく本人認証データをデータキャリア側アンテナコイル１３０７から送信し、これをリーダー／ライター側アンテナコイル１３０８が受信し、無線送受信部２９６３を介して通信接続装置ｏｒリモートアクセスサーバー２９６４がこの本人認証データを取り込む。
【０２０９】
しかる後に、通信接続装置ｏｒリモートアクセスサーバー２９６４はネットワーク接続部２９６８にてＬＡＮ２９７３に接続し、認証サーバー２９６９に格納されている登録者リスト（不図示）にある本人認証データを取り込んで、認証制御部２９６６で前記本人認証データと照合して、認証処理する。
【０２１０】
そして、適正に認証処理が終了したならば、通信接続装置ｏｒリモートアクセスサーバー２９６４は各種サーバー２９７０、２９７１からデータを読み出して、無線送受信部２９６３、リーダー／ライター側アンテナコイル１３０８を介して、腕時計２９０１側に送信する。
【０２１１】
（データ量が大きい場合、ＲＦ−ＩＤシステムのみでなく、ＩｒＤＡ、有線／無線データ通信システムを兼用しても良い。）
【０２１２】
腕時計２９０１は、各種サーバー２９７０、２９７１から読み出したデータ受信／記憶／管理することができる。
無論、本実施の形態においても図７４に示すように、データキャリア側アンテナコイル１３０７を時計本体２９０２内に配置するようにしてもよい。
【０２１３】
この場合データキャリア側アンテナコイル１３０７の時計本体への実装構造は、上記第１の実施の形態〜第１２の実施の形態に記載されるようなものが望ましい。
【０２１４】
なお、以上の実施の形態においては、主として腕時計にデータキャリアが内蔵されたものについて説明したが、アクセサリーとして好適な形態を備えたデバイス、例えばペンダントのトップのように装飾性が高い物品にデータキャリアを内蔵する場合でも良く、また、その場合においては金属部材を使用してもＲＦ−ＩＤシステムにおいて、高いデータ通信機能を維持することができる。
【図面の簡単な説明】
【０２１５】
【図１】本発明の第１の実施の形態を示す腕時計の平面図である。
【図２】同実施の形態における時計本体の模式断面図である。
【図３】プラカバーを示す平面図である。
【図４】同プラカバーの模式断面図である。
【図５】図４の要部拡大図である。
【図６】本発明の第２の実施の形態を示す時計本体の模式断面図である。
【図７】衝撃吸収用ベゼルを示す底面図である。
【図８】図７のＣ−Ｃ断面図である。
【図９】本発明の第３の実施の形態を示す腕時計の平面図である。
【図１０】同実施の形態における時計本体の模式断面図である。
【図１１】時計ケースを示す底面図である。
【図１２】図１１のＢ−Ｂ断面図である。
【図１３】本発明の実施の形態に用いられるアンテナコイルの変形例を示す図である。
【図１４】本発明の第４の実施の形態を示す腕時計の平面図である。
【図１５】同腕時計における時計本体を示す断面図である。
【図１６】同時計本体の分解斜視図である。
【図１７】同実施の形態においてデータ通信時に生ずる磁界を示す説明図である。
【図１８】本発明の第５の実施の形態を示す時計本体の断面図である。
【図１９】同実施の形態においてデータ通信時に生ずる磁界を示す説明図である。
【図２０】本発明の第６の実施の形態を示す時計本体の断面図である。
【図２１】本発明の第７の実施の形態を示す時計本体の断面図である。
【図２２】本発明の第６及び第７の実施の形態においてデータ通信時に生ずる磁界を示す説明図である。
【図２３】本発明の第８の実施の形態を示す時計本体の断面図である。
【図２４】同時計本体の分解斜視図である。
【図２５】同実施の形態においてデータ通信時に生ずる磁界を示す説明図である。
【図２６】同実施の形態の変形例を示す時計本体の断面図である。
【図２７】本発明の第９の実施の形態形態にかかるアンテナを示す図である。
【図２８】他のアンテナを示す図である。
【図２９】他のアンテナを示す図である。
【図３０】他のアンテナを示す図である。
【図３１】他のアンテナを示す図である。
【図３２】本発明の第１０の実施の形態を示す時計本体の断面図である。
【図３３】同時計本体の分解斜視図である。
【図３４】データ通信時に生ずる磁界を示す説明図である。
【図３５】本発明の第１１の実施の形態にかかるアンテナの変形例を示す図である。
【図３６】本発明の第１２の実施の形態にかかる窓枠の変形例を示す図である。
【図３７】本発明の第１３の実施の形態を示すシステム構成図である。
【図３８】３８Ａは同実施の形態にかかる腕時計の平面図、３８Ｂは断面図である。
【図３９】同実施の形態のシステム全体のブロック構成図である。
【図４０】データキャリア内のメモリー構成図である。
【図４１】同実施の形態の送受信動作を示すタイミングチャートである。
【図４２】送受信信号のフォーマット構成図である。
【図４３】４３Ａ、４３Ｂは本発明の第１４の実施の形態にかかる腕時計の正面図、４３Ｃは断面図である。
【図４４】４４Ａは本発明の第１５の実施の形態にかかる腕時計の正面図、４４Ｂは断面図である。
【図４５】本発明の第１６の実施の形態にかかる腕時計の概念図である。
【図４６】同実施の形態のシステム全体のブロック構成図である。
【図４７】本発明の第１７の実施の形態を示すシステム構成図である。
【図４８】同実施の形態のシステム全体のブロック構成図である。
【図４９】本発明の第１８の実施の形態のシステム全体のブロック構成図である。
【図５０】５０Ａは本発明の第１９の実施の形態にかかる腕時計の概念図、５０Ｂは断面図である。
【図５１】５１Ａは本発明の第２０の実施の形態にかかる腕時計の概念図、５１Ｂは断面図である。
【図５２】同実施の形態のシステム全体のブロック構成図である。
【図５３】本発明の第２１の実施の形態を示すシステム構成図である。
【図５４】同実施の形態の動作を示すタイミングチャートである。
【図５５】本発明の第２２の実施の形態を示すシステム構成図である。
【図５６】同実施の形態の動作を示すタイミングチャートである。
【図５７】本発明の第２３の実施の形態を示すシステム構成図である。
【図５８】同実施の形態の腕時計の回路構成を示すブロック構成図である。
【図５９】同実施の形態の変形例を示すシステム構成図である。
【図６０】同実施の形態の変形例を示すシステム構成図である。
【図６１】同実施の形態の変形例における腕時計の回路構成を示すブロック構成図である。
【図６２】本発明の第２４の実施の形態を示すシステム構成図である。
【図６３】同実施の形態の利用例を示す概念図である。
【図６４】同実施の形態の変形例を示すシステム構成図である。
【図６５】本発明の第２５の実施の形態を示すシステム構成図である。
【図６６】同実施の形態の利用例を示す概念図である。
【図６７】同実施の形態の変形例を示すシステム構成図である。
【図６８】本発明の第２６の実施の形態を示すシステム構成図である。
【図６９】同実施の形態の変形例を示すシステム構成図である。
【図７０】本発明の第２７の実施の形態を示すシステム構成図である。
【図７１】同実施の形態の変形例を示すシステム構成図である。
【図７２】本発明の第２８の実施の形態を示すシステム構成図である。
【図７３】本発明の第２９の実施の形態を示すシステム構成図である。
【図７４】同実施の形態の変形例を示すシステム構成図である。
【符号の説明】
【０２１６】
１００      腕時計
１０１      時計本体
１０２      リストバンド
１０３      ケース
１０４      硬質透明部材
１０８      モジュール
１１０      データキャリア側アンテナコイル
３０８      時計モジュール
３１２      ＬＣＤパネル
４０６      表示枠固定部材
４１２      モジュールカバー部材
４１３      モジュール固定部材
４２０      モジュール用ハウジング部材
４２５      データキャリアＩＣ用基板
９０２      マグネティック・コア
１００２    時計本体
１０２２    データキャリアモジュール
１３０７    データキャリア側アンテナコイル
１３１０    リーダー／ライター
１３１９    ＡＣ／ＤＣコンバータ
１３２０    クロック再生部
１３２１    復調部
１３２２    復号部
１３２４    電源制御部
１３４０    介装部材
１３５０    モジュールユニット
２６５１    制御部
【図１】
0004434197.tif 000002
【図２】
0004434197.tif 000003
【図３】
0004434197.tif 000004
【図４】
0004434197.tif 000005
【図５】
0004434197.tif 000006
【図６】
0004434197.tif 000007
【図７】
0004434197.tif 000008
【図８】
0004434197.tif 000009
【図９】
0004434197.tif 000010
【図１０】
0004434197.tif 000011
【図１１】
0004434197.tif 000012
【図１２】
0004434197.tif 000013
【図１３】
0004434197.tif 000014
【図１４】
0004434197.tif 000015
【図１５】
0004434197.tif 000016
【図１６】
0004434197.tif 000017
【図１７】
0004434197.tif 000018
【図１８】
0004434197.tif 000019
【図１９】
0004434197.tif 000020
【図２０】
0004434197.tif 000021
【図２１】
0004434197.tif 000022
【図２２】
0004434197.tif 000023
【図２３】
0004434197.tif 000024
【図２４】
0004434197.tif 000025
【図２５】
0004434197.tif 000026
【図２６】
0004434197.tif 000027
【図２７】
0004434197.tif 000028
【図２８】
0004434197.tif 000029
【図２９】
0004434197.tif 000030
【図３０】
0004434197.tif 000031
【図３１】
0004434197.tif 000032
【図３２】
0004434197.tif 000033
【図３３】
0004434197.tif 000034
【図３４】
0004434197.tif 000035
【図３５】
0004434197.tif 000036
【図３６】
0004434197.tif 000037
【図３７】
0004434197.tif 000038
【図３８】
0004434197.tif 000039
【図３９】
0004434197.tif 000040
【図４０】
0004434197.tif 000041
【図４１】
0004434197.tif 000042
【図４２】
0004434197.tif 000043
【図４３】
0004434197.tif 000044
【図４４】
0004434197.tif 000045
【図４５】
0004434197.tif 000046
【図４６】
0004434197.tif 000047
【図４７】
0004434197.tif 000048
【図４８】
0004434197.tif 000049
【図４９】
0004434197.tif 000050
【図５０】
0004434197.tif 000051
【図５１】
0004434197.tif 000052
【図５２】
0004434197.tif 000053
【図５３】
0004434197.tif 000054
【図５４】
0004434197.tif 000055
【図５５】
0004434197.tif 000056
【図５６】
0004434197.tif 000057
【図５７】
0004434197.tif 000058
【図５８】
0004434197.tif 000059
【図５９】
0004434197.tif 000060
【図６０】
0004434197.tif 000061
【図６１】
0004434197.tif 000062
【図６２】
0004434197.tif 000063
【図６３】
0004434197.tif 000064
【図６４】
0004434197.tif 000065
【図６５】
0004434197.tif 000066
【図６６】
0004434197.tif 000067
【図６７】
0004434197.tif 000068
【図６８】
0004434197.tif 000069
【図６９】
0004434197.tif 000070
【図７０】
0004434197.tif 000071
【図７１】
0004434197.tif 000072
【図７２】
0004434197.tif 000073
【図７３】
0004434197.tif 000074
【図７４】
0004434197.tif 000075